(57)【要約】【課題】太陽熱集熱パネルで回収された太陽熱が過剰となった場合に、冷水温度或いは空調温度を降下し過ぎてしまうことなく、太陽熱により過度に昇温された熱媒が保有する熱量を吸収冷凍機で冷却することができる空調システムの提供。【解決手段】吸収冷凍機（２０）と、太陽熱回路（３０）と、吸収冷凍機（２０）の蒸発器（５）と冷房負荷とを連通する冷水ライン（Ｌｉ）を流れる冷水の蒸発器出口温度（Ｔ１）或いは蒸発器（５）の液相冷媒温度（Ｔ１）を計測する第１の温度計測装置（温度センサＳｔ１）と、凝縮器（４）又は蒸発器（５）の液相冷媒を再生器（２、３）内の吸収溶液又は希溶液ライン（Ｌａ）を流れる希溶液に混合する混合用経路（Ｌｍ４、Ｌｍ５、Ｌｍ６）と、混合用経路（Ｌｍ４、Ｌｍ５、Ｌｍ６）に介装された開閉弁（Ｖ４、Ｖ５、Ｖ６）と、制御装置（１０）とを備えている。【選択図】図１
2010007907.tif 000002
【特許請求の範囲】
【請求項１】
吸収冷凍機（２０）と、太陽熱集熱装置（８）と、太陽熱集熱装置を介装しており且つ吸収冷凍機（２０）と熱的に連通している太陽熱回路（３０）と、吸収冷凍機（２０）の蒸発器（５）と冷房負荷とを連通する冷水ライン（Ｌｉ）を流れる冷水の蒸発器出口温度或いは蒸発器の液相冷媒温度を計測する第１の温度計測装置（Ｓｔ１）と、凝縮器（４）又は蒸発器（５）の液相冷媒を再生器（２、３）内の吸収溶液又は希溶液ライン（Ｌａ）を流れる希溶液に混合する混合用経路（Ｌｍ４、Ｌｍ５、Ｌｍ６）と、混合用経路（Ｌｍ４、Ｌｍ５、Ｌｍ６）に介装された開閉弁（Ｖ４、Ｖ５、Ｖ６）と、制御装置（１０）とを備え、制御装置（１０）は、第１の温度計測装置（Ｓｔ１）で計測された温度（Ｔ１）が第１のしきい値（Ｋ１）以下となった場合に蒸発器（５）の液相冷媒を冷水ライン（Ｌｉ）に散布する液媒ポンプ（Ｐｇ）の作動を停止し、第１の温度計測装置（Ｓｔ１）で計測された温度（Ｔ１）が第１のしきい値（Ｋ１）よりも低温な第２のしきい値（Ｋ２）以下となった場合には混合用経路（Ｌｍ４、Ｌｍ５、Ｌｍ６）に介装された開閉弁（Ｖ４、Ｖ５、Ｖ６）を開放して、凝縮器（４）又は蒸発器（５）の液相冷媒を吸収器（１）内の吸収溶液又は希溶液ライン（Ｌａ）を流れる希溶液に混合する機能を有することを特徴とする空調システム。
【請求項２】
前記制御装置（１０）は、第１の温度計測装置（Ｓｔ１）で計測された温度（Ｔ１）が第２のしきい値（Ｋ２）以下の状態から第１のしきい値（Ｋ１）よりも高温のしきい値（Ｋ１Ａ）を上回った場合に、先ず、前記混合用経路（Ｌｍ４、Ｌｍ５、Ｌｍ６）に介装された開閉弁（Ｖ４、Ｖ５、Ｖ６）を閉鎖して、凝縮器（４）又は蒸発器（５）の液相冷媒が吸収器（１）内の吸収溶液又は希溶液ライン（Ｌａ）を流れる希溶液と混合するのを停止し、次に、液媒ポンプ（Ｐｇ）を作動して蒸発器（５）の液相冷媒を冷水ライン（Ｌｉ）に散布する機能を有する請求項１の空調システム。
【請求項３】
前記太陽熱回路（３０）内には熱媒が循環しており、太陽熱集熱装置（８）を流過した直後の熱媒の温度或いは太陽熱集熱装置（８）の表面温度を計測する第２の温度計測装置（Ｓｔ２）を有し、前記制御装置（１０）は、第２の温度計測装置（Ｓｔ２）で計測された温度（Ｔ２）が第３のしきい値（Ｋ３）よりも高温となった場合に冷水の蒸発器出口温度の設定温度を、通常状態における冷水の蒸発器出口温度の設定温度よりも低く設定する機能を有している請求項１または請求項２の空調システム。
【請求項４】
前記制御装置（１０）は、第２の温度計測装置（Ｓｔ２）で計測された温度（Ｔ２）が第３のしきい値（Ｋ３）より低温のしきい値（Ｋ３Ａ）を下回った場合には、前記混合用経路（Ｌｍ４、Ｌｍ５、Ｌｍ６）に介装された開閉弁（Ｖ４、Ｖ５、Ｖ６）を閉鎖して、凝縮器（４）又は蒸発器（５）の液相冷媒が吸収器（１）内の吸収溶液又は希溶液ライン（Ｌａ）を流れる希溶液と混合するのを停止し、そして液媒ポンプ（Ｐｇ）を作動して蒸発器（５）の液相冷媒を冷水ライン（Ｌｉ）に散布した後に、冷水の蒸発器出口温度の設定温度を通常状態における冷水の蒸発器出口温度の設定温度に復帰させる機能を有する請求項３の空調システム。
【請求項５】
吸収冷凍機（２０）の吸収器（１）と再生器（２）を連通する希溶液ライン（Ｌａ）の吸収溶液用ポンプ（Ｐａ）吐出口側の領域から分岐して蒸発器（５）に連通する吸収溶液ライン（Ｌｍ３）と、該吸収溶液ライン（Ｌｍ３）に介装された第２の開閉弁（Ｖ３）を有し、前記制御装置（１０）は、第２の温度計測装置（Ｓｔ２）で計測された温度（Ｔ２）が第３のしきい値（Ｋ３）以下となり、且つ、第１の温度計測装置（Ｓｔ１）で計測された温度（Ｔ１）が第２のしきい値（Ｋ２）よりも低温な第４のしきい値（Ｋ４）以下となった場合に、前記第２の開閉弁（Ｖ３）を開放して、前記吸収溶液ライン（Ｌｍ３）を介して希溶液ライン（Ｌａ）を流れる吸収溶液（希溶液）を蒸発器（５）の液相冷媒に混合する機能を有する請求項３または請求項４の空調システム。
【請求項６】
前記制御装置（１０）は、第２の温度計測装置（Ｓｔ２）で計測された温度（Ｔ２）が第４のしきい値（Ｋ４）よりも高温のしきい値（Ｋ４Ａ）を上回った場合に、前記第２の開閉弁（Ｖ３）を閉鎖し、且つ、混合用経路（Ｌｍ４及び／又はＬｍ６）に介装された開閉弁（Ｖ４及び／又はＶ６）を開放する機能を有する請求項５の空調システム。
【発明の詳細な説明】
【技術分野】
【０００１】
本発明は太陽熱を空調に利用する技術に関し、より詳細には、吸収冷凍機による冷房運転に太陽熱を利用した空調システムに関する。
【背景技術】
【０００２】
熱源により冷熱を得る技術として、吸収冷凍機が広く普及している（例えば特許文献１参照）。
そして、吸収冷凍機と太陽熱集熱装置（太陽熱集熱パネル）とを組み合わせ、太陽熱で得られる比較的低温（３０℃〜１２０℃）の熱を利用する技術が提案されている（例えば特許文献２参照）。
吸収冷凍機と太陽熱集熱パネルとを組み合わせた従来技術（特許文献２）においては、太陽熱集熱パネルを介装し且つ吸収冷凍機の希溶液ラインと熱的に連通する太陽熱回路を構成し、太陽熱回路を循環する熱媒を太陽熱集熱パネルで加熱し、加熱された熱媒の保有する熱量を吸収冷凍機の希溶液ラインを流れる吸収溶液に投入している。この場合、太陽熱集熱パネルで回収される太陽熱は、二重効用吸収冷凍機における低温再生器或いは当該低温再生器と同レベル圧力となる排熱専用再生器程度の作用効果を奏する。そして、熱媒が保有する熱量を吸収冷凍機側で消費することにより、熱媒が吸収冷凍機により冷却される。
【０００３】
ここで、太陽熱集熱装置により回収される熱量は一定せず、太陽熱集熱装置により回収される熱量は、冷房負荷とは全く連動していない。
例えば、冷房負荷が比較的小さい時期において日射が強ければ、太陽熱集熱パネルにおいて熱媒の温度が昇温し過ぎてしまう。熱媒の温度が昇温し過ぎてしまうと、熱媒が保有する熱量が投入される吸収冷凍機側では、例えば吸収溶液である臭化リチウム水溶液が再生器で晶析する、或いは蒸発器で冷媒や冷水が凍結する、という問題が生じ、吸収冷凍機の運転に重大な障害を及ぼす。
【０００４】
吸収冷凍機における晶析や凍結を防止するために、冷房負荷が小さい場合に熱媒の温度が所定値以上に昇温した場合に、太陽熱回路と吸収冷凍機とを熱的に遮断して、熱媒が保有する熱量が吸収溶液の希溶液ラインに投入されないようにすることも可能である。
しかし、太陽熱回路と吸収冷凍機とを熱的に遮断してしまうと、太陽熱回路を循環する熱媒が保有する熱量がどこにも投入されなくなり、熱媒が過熱されて、沸騰してしまう恐れがある。そして、熱媒が過熱、沸騰してしまうと、太陽熱集熱パネルを介装している太陽熱回路内の圧力が急上昇して、太陽熱回路を破壊してしまう恐れがある。
また、熱媒が沸騰して気化してしまうと、太陽熱回路内で熱媒を循環させるための熱媒ポンプがキャビテーションにより破損してしまう。
係る問題について、引用文献１、引用文献２は全く考慮がされていない。
【０００５】
従来技術において、吸収冷凍機と太陽熱集熱装置とを組み合わせたシステムにおいて、上述した吸収冷凍機における晶析や凍結を防止する技術も存在する（例えば、特許文献３参照）。
係る従来技術（特許文献３）では、太陽熱回路を循環する熱媒が過熱状態になった場合に貯湯タンク内の温水を排水し、或いは、太陽熱回路を循環する熱媒を冷却塔（或いは空冷放熱器）で冷却している。
しかし、貯湯タンク内の温水を排水することは、いわゆる「水の無駄使い」であり、不経済である。また、冷却塔で熱媒を冷却するためには、冷却塔（或いは空冷放熱器）を追加して設備しなければならず、設備費が増大してしまうという問題がある。
【０００６】
さらに、熱媒が循環する太陽熱回路に熱媒貯留槽を介装し、熱媒が加熱した場合に太陽熱回路内を循環する全ての熱媒を熱媒貯留槽に回収して、太陽熱回路内では熱媒が循環しないようにする技術も提案されている。
しかし、熱媒を熱媒貯留槽に回収している間に太陽熱集熱パネルの温度は非常に高くなり、熱媒を太陽熱回路内で再度循環する場合には、太陽熱集熱パネルの温度が熱媒の沸騰温度以下に降温するまで待機しなければならない。太陽熱集熱パネルの温度が熱媒の沸騰温度よりも高温であると、太陽熱回路内で熱媒を再度循環させた際に、太陽熱集熱パネルに流入した熱媒が瞬時に気化して太陽熱回路内の圧力が瞬時に昇圧されてしまい、太陽熱回路が破損されてしまうからである。
そのため、必要なときに直ちに太陽熱を冷熱の発生に利用することが出来ない、という問題を有している。
【０００７】
それに加えて、蓄熱槽を空調システムに介装し、冷熱を蓄熱することも考えられる。
しかし、蓄熱槽における冷熱の蓄熱量は、当該蓄熱槽を設置してみなければ判らない場合が多いため、蓄熱槽設置による効果を把握することが出来ない。
【０００８】
太陽熱集熱パネルで回収された太陽熱が過剰となり、熱媒が昇温され過ぎた場合に、熱媒が保有する熱量を吸収冷凍機側で消費することができれば、上述した各種問題を解消することが可能である。
しかし、冷房負荷が小さい場合に、過剰に昇温された熱媒の熱量を吸収冷凍機側で消費した場合には、冷水温度が降下し過ぎてしまい、冷房温度が下がりすぎてしまうので、空調システムとして不適当である、という問題が存在する。
吸収冷凍機による冷房運転に太陽熱を利用した空調システムであって、上述した種々の問題を解消することが出来る様な空調システムは、現時点では提案されていない。
【特許文献１】特開平７−２１８０１７号公報
【特許文献２】特開昭５８−１９５７６３号公報
【特許文献３】特開昭５８−１４２１５９号公報
【発明の開示】
【発明が解決しようとする課題】
【０００９】
本発明は上述した従来技術の問題点に鑑みて提案されたものであり、吸収冷凍機による冷房運転に太陽熱を利用した空調システムであって、冷房負荷が小さく且つ太陽熱集熱パネルで回収された太陽熱が過剰となった場合に、冷水温度或いは空調温度を降下し過ぎてしまうことなく、太陽熱により過度に昇温された熱媒が保有する熱量を吸収冷凍機で消費することができる様な空調システムの提供を目的としている。
【課題を解決するための手段】
【００１０】
本発明の空調システムは、吸収冷凍機（２０）と、太陽熱集熱装置（太陽熱集熱パネル８）と、太陽熱集熱装置（８）を介装しており且つ吸収冷凍機（２０）と熱的に連通している太陽熱回路（３０）と、吸収冷凍機（２０）の蒸発器（５）と冷房負荷とを連通する冷水ライン（Ｌｉ）を流れる冷水の蒸発器出口温度或いは蒸発器（５）の液相冷媒温度を計測する第１の温度計測装置（温度センサＳｔ１）と、凝縮器（４）又は蒸発器（５）の液相冷媒を再生器（２、３）内の吸収溶液又は希溶液ライン（Ｌａ）を流れる希溶液に混合する混合用経路（Ｌｍ４、Ｌｍ５、Ｌｍ６）と、混合用経路（Ｌｍ４、Ｌｍ５、Ｌｍ６）に介装された開閉弁（Ｖ４、Ｖ５、Ｖ６）と、制御装置（１０）とを備え、制御装置（１０）は、第１の温度計測装置（Ｓｔ１）で計測された温度（Ｔ１：冷水の蒸発器出口温度或いは蒸発器５の液相冷媒温度）が第１のしきい値（しきい値Ｋ１）以下となった場合に蒸発器（５）の液相冷媒を冷水ライン（Ｌｉ）に散布する液媒ポンプ（冷媒ポンプＰｇ）の作動を停止し、第１の温度計測装置（Ｓｔ１）で計測された温度（Ｔ１）が第１のしきい値（しきい値Ｋ１）よりも低温な第２のしきい値（しきい値Ｋ２）以下となった場合には混合用経路（Ｌｍ４、Ｌｍ５、Ｌｍ６）に介装された開閉弁（Ｖ４、Ｖ５、Ｖ６）を開放して、凝縮器（４）又は蒸発器（５）の液相冷媒を吸収器（１）内の吸収溶液又は希溶液ライン（Ｌａ）を流れる希溶液に混合する機能を有することを特徴としている（請求項１）。
【００１１】
ここで、太陽熱回路（３０）が吸収冷凍機（２０）と熱的に連通する態様としては、例えば、太陽熱回路（３０）を流れる熱媒体が保有する熱量が、熱交換器（太陽熱投入熱交換器９）を介して、吸収冷凍機（２０）の希溶液ライン（Ｌａ）を流れる吸収溶液（希溶液）に投入されるように構成することが出来る。或いは、希溶液ライン（Ｌａ）に再生器（太陽熱再生器ＷＥ９）を介装し、太陽熱回路（３０）を流れる熱媒体が保有する熱量により冷媒蒸気（気相冷媒）を再生しても良い。さらに、熱交換器（太陽熱投入熱交換器９）と再生器（太陽熱再生器ＷＥ９）を、吸収冷凍機（２０）の希溶液ライン（Ｌａ）に介装しても良い。
本発明の実施に際して、吸収冷凍機（２０）は、単効用タイプでも、二重効用タイプでも、一重二重効用タイプでも、三重効用以上の多重効用タイプであっても良い。
【００１２】
ここで、前記混合用経路は、蒸発器（５）の底部と液相冷媒を散布する散布管（５１）とを連通し且つ液媒ポンプ（冷媒ポンプＰｇ）が介装されている液相冷媒ライン（Ｌｇ）から分岐（Ｂｇ）されて吸収器（１）に連通する液相冷媒ライン（Ｌｍ４）であり、前記開閉弁は当該液相冷媒ライン（Ｌｍ４）に介装された開閉弁（Ｖ４）であるのが好ましい。
また、前記混合用経路は、凝縮器（４）と吸収器（１）を連通する液相冷媒ライン（Ｌｍ５）であり、前記開閉弁は当該液相冷媒ライン（Ｌｍ５）に介装された開閉弁（Ｖ５）であるのが好ましい。
或いは、前記混合用経路は、吸収冷凍機（２０）の吸収器（１）と再生器（２）を連通する希溶液ライン（Ｌａ）の吸収溶液用ポンプ（Ｐａ）吸込口側の領域と蒸発器（５）とを連通する液相冷媒ライン（Ｌｍ６）であり、前記開閉弁は当該液相冷媒ライン（Ｌｍ６）に介装された開閉弁（Ｖ６）であるのが好ましい。
【００１３】
本発明の空調システムにおいて、前記制御装置（１０）は、第１の温度計測装置（Ｓｔ１）で計測された温度（Ｔ１：冷水の蒸発器出口温度或いは蒸発器の液相冷媒温度）が第２のしきい値（しきい値Ｋ２）以下の状態から第１のしきい値（しきい値Ｋ１）より高温のしきい値（Ｋ１Ａ＝Ｋ１＋ΔＫ１）を上回った（しきい値Ｋ１Ａよりも高温となった）場合に、先ず、前記混合用経路（Ｌｍ４、Ｌｍ５、Ｌｍ６）に介装された開閉弁（Ｖ４、Ｖ５、Ｖ６）を閉鎖して、凝縮器（４）又は蒸発器（５）の液相冷媒が吸収器（１）内の吸収溶液又は希溶液ライン（Ｌａ）を流れる希溶液と混合するのを停止し、次に、液媒ポンプ（Ｐｇ）を作動して蒸発器（５）の液相冷媒を冷水ライン（Ｌｉ）に散布する機能を有するのが好ましい（請求項２）。
【００１４】
また本発明において、前記太陽熱回路内（３０）には熱媒が循環しており、太陽熱集熱装置（太陽熱集熱パネル８）を流過した直後の熱媒の温度或いは太陽熱集熱装置（８）の表面温度を計測する第２の温度計測装置（第２の温度センサ、或いは過熱防止センサＳｔ２）を有し、前記制御装置（１０）は、第２の温度計測装置（Ｓｔ２）で計測された温度（Ｔ２：太陽熱集熱装置を流過した直後の熱媒の温度或いは太陽熱集熱装置の表面温度）が第３のしきい値（しきい値Ｋ３）よりも高温となった場合に冷水の蒸発器出口温度の設定温度（冷水の蒸発器出口温度がそれ以下に降温した場合には吸収冷凍機の運転を停止する温度）を、通常状態（第２の温度計測装置Ｓｔ２で計測された温度が第３のしきい値Ｋ３以下の状態）における冷水の蒸発器出口温度の設定温度よりも低く設定する機能を有しているのが好ましい（請求項３）。
【００１５】
ここで（第１の温度計測装置（Ｓｔ１）で計測された温度（Ｔ１：冷水の蒸発器出口温度或いは蒸発器の液相冷媒温度）が第２のしきい値（しきい値Ｋ２）以下の状態から）、前記制御装置（１０）は、第２の温度計測装置（Ｓｔ２）で計測された温度（Ｔ２）が第３のしきい値（しきい値Ｋ３）より低温のしきい値（Ｋ３Ａ＝Ｋ３−ΔＫ３）を下回った場合には、前記混合用経路（Ｌｍ４、Ｌｍ５、Ｌｍ６）に介装された開閉弁（Ｖ４、Ｖ５、Ｖ６）を閉鎖して、凝縮器（４）又は蒸発器（５）の液相冷媒が吸収器（１）内の吸収溶液又は希溶液ライン（Ｌａ）を流れる希溶液と混合するのを停止し、そして液媒ポンプ（冷媒ポンプＰｇ）を作動して蒸発器（５）の液相冷媒を冷水ライン（Ｌｉ）に散布した後に、冷水の蒸発器出口温度の設定温度を通常状態（第２の温度計測装置Ｓｔ２で計測された温度Ｔ２が第３のしきい値Ｋ３以下の状態）における冷水の蒸発器出口温度の設定温度に復帰させる機能を有するのが好ましい（請求項４）。
【００１６】
本発明において、吸収冷凍機（２０）の吸収器（１）と再生器（２）を連通する希溶液ライン（Ｌａ）の吸収溶液用ポンプ（Ｐａ）吐出口側の領域から分岐して蒸発器（５）に連通する吸収溶液ライン（Ｌｍ３）と、該吸収溶液ライン（Ｌｍ３）に介装された第２の開閉弁（Ｖ３）を有し、前記制御装置（１０）は、第２の温度計測装置（Ｓｔ２）で計測された温度（Ｔ２：太陽熱集熱装置を流過した直後の熱媒の温度或いは太陽熱集熱装置の表面温度）が第３のしきい値（しきい値Ｋ３）以下となり、且つ、第１の温度計測装置（Ｓｔ１）で計測された温度（Ｔ１：冷水の蒸発器出口温度或いは蒸発器の液相冷媒温度）が第２のしきい値（しきい値Ｋ２）よりも低温な第４のしきい値（しきい値Ｋ４）以下となった場合に、前記第２の開閉弁（Ｖ３）を開放して、前記吸収溶液ライン（Ｌｍ３）を介して希溶液ライン（Ｌａ）を流れる吸収溶液（希溶液）を蒸発器（５）の液相冷媒に混合する機能を有するのが好ましい（請求項５）。
【００１７】
本発明の空調システム（請求項５の空調システム）において、前記制御装置（１０）は、第２の温度計測装置（Ｓｔ２）で計測された温度（Ｔ２）が第４のしきい値（Ｋ４）よりも高温のしきい値（Ｋ４Ａ）を上回った場合に、前記第２の開閉弁（Ｖ３）を閉鎖し、且つ、混合用経路（Ｌｍ４及び／又はＬｍ６）に介装された開閉弁（Ｖ４及び／又はＶ６）を一定時間（Ｔｒ）開放する機能を有するのが好ましい（請求項６）。
【００１８】
本発明は、吸収冷凍機（２０）と、太陽熱集熱装置（太陽熱集熱パネル８）と、太陽熱集熱装置を介装しており且つ吸収冷凍機（２０）と熱的に連通している太陽熱回路（３０）と、吸収冷凍機（２０）の蒸発器（５）と冷房負荷とを連通する冷水ライン（Ｌｉ）を流れる冷水の蒸発器出口温度或いは蒸発器の液相冷媒温度を計測する第１の温度計測装置（温度センサＳｔ１）と、凝縮器（４）又は蒸発器（５）の液相冷媒を再生器（２、３）内の吸収溶液又は希溶液ライン（Ｌａ）を流れる希溶液に混合する混合用経路（Ｌｍ４、Ｌｍ５、Ｌｍ６）と、混合用経路に介装された開閉弁（Ｖ４、Ｖ５、Ｖ６）と、制御装置（１０）とを備える空調システムの制御方法であって、第１の温度計測装置（Ｓｔ１）で計測された温度（Ｔ１：冷水の蒸発器出口温度或いは蒸発器の液相冷媒温度）が第１のしきい値（しきい値Ｋ１）以下となった場合に蒸発器（５）の液相冷媒を冷水ライン（Ｌｉ）に散布する液媒ポンプ（Ｐｇ）の作動を停止する工程（Ｓ１３、Ｓ６６）と、第１の温度計測装置（Ｓｔ１）で計測された温度（Ｔ１）が第１のしきい値（しきい値Ｋ１）よりも低温な第２のしきい値（しきい値Ｋ２）以下となった場合には混合用経路（Ｌｍ４、Ｌｍ５、Ｌｍ６）に介装された開閉弁（Ｖ４、Ｖ５、Ｖ６）を開放して、凝縮器（４）又は蒸発器（５）の液相冷媒を吸収器（１）内の吸収溶液又は希溶液ライン（Ｌａ）を流れる希溶液に混合する工程（Ｓ３３、Ｓ４３、Ｓ５３、Ｓ６９）とを有する制御方法を包含する。
【００１９】
ここで、凝縮器（４）又は蒸発器（５）の液相冷媒を吸収器（１）内の吸収溶液又は希溶液ライン（Ｌａ）を流れる希溶液に混合する工程（Ｓ３３、Ｓ６９）は、蒸発器（５）の底部と液相冷媒を散布する散布管（５１）とを連通し且つ液媒ポンプ（Ｐｇ）が介装されている液相冷媒ライン（Ｌｇ）から分岐（Ｂｇ）されて吸収器（１）に連通する液相冷媒ライン（Ｌｍ４）に介装された開閉弁（Ｖ４）を開放することにより行なわれるのが好ましい。
また、凝縮器（４）又は蒸発器（５）の液相冷媒を吸収器（１）内の吸収溶液又は希溶液ライン（Ｌａ）を流れる希溶液に混合する工程（Ｓ４３）は、凝縮器（４）と吸収器（１）を連通する液相冷媒ライン（Ｌｍ５）に介装された開閉弁（Ｖ５）を開放することにより行なわれるのが好ましい。
或いは、凝縮器（４）又は蒸発器（５）の液相冷媒を吸収器（１）内の吸収溶液又は希溶液ライン（Ｌａ）を流れる希溶液に混合する工程（Ｓ５３）は、吸収冷凍機（１００）の吸収器（１）と再生器（２）を連通する希溶液ライン（Ｌａ）の吸収溶液用ポンプ（Ｐａ）吸込口側の領域と蒸発器（５）とを連通する液相冷媒ライン（Ｌｍ６）に介装された開閉弁（Ｖ６）を開放することにより行なわれるのが好ましい。
【００２０】
係る空調システムの制御方法において、第１の温度計測装置（Ｓｔ１）で計測された温度（Ｔ１：冷水の蒸発器出口温度或いは蒸発器の液相冷媒温度）が第２のしきい値（しきい値Ｋ２）以下の状態から第１のしきい値（しきい値Ｋ１）よりも高温のしきい値（Ｋ１Ａ＝Ｋ１＋ΔＫ１）を上回った場合に、前記混合用経路（Ｌｍ４、Ｌｍ５、Ｌｍ６）に介装された開閉弁（Ｖ４、Ｖ５、Ｖ６）を閉鎖して、凝縮器（４）又は蒸発器（５）の液相冷媒が吸収器（１）内の吸収溶液又は希溶液ライン（Ｌａ）を流れる希溶液と混合するのを停止する混合停止工程（Ｓ３４、Ｓ４４、Ｓ５４、Ｓ７７）を行い、当該混合停止工程（Ｓ３４、Ｓ４４、Ｓ５４、Ｓ７７）の後に、液媒ポンプ（Ｐｇ）を作動して蒸発器（５）の液相冷媒を冷水ライン（Ｌｉ）に散布する工程（Ｓ７６）を行なうのが好ましい。
【００２１】
また上述の空調システムの制御方法において、前記太陽熱回路（３０）内には熱媒が循環しており、空調システムには、太陽熱集熱装置（８）を流過した直後の熱媒の温度或いは太陽熱集熱装置（８）の表面温度を計測する第２の温度計測装置（第２の温度センサＳｔ２）が設けられており、第２の温度計測装置（Ｓｔ２）で計測された温度（Ｔ２：太陽熱集熱装置を流過した直後の熱媒の温度或いは太陽熱集熱装置の表面温度）が第３のしきい値（しきい値Ｋ３）よりも高温となった場合に冷水の蒸発器出口温度の設定温度を、通常状態（第２の温度計測装置Ｓｔ２で計測された温度Ｔ２が第３のしきい値以下の状態）における冷水の蒸発器出口温度の設定温度よりも低く設定するのが好ましい。
【００２２】
ここで、（第１の温度計測装置（Ｓｔ１）で計測された温度（Ｔ１：冷水の蒸発器出口温度或いは蒸発器の液相冷媒温度）が第２のしきい値（しきい値Ｋ２）以下の状態から）、第２の温度計測装置（Ｓｔ２）で計測された温度（Ｔ２）が第３のしきい値（しきい値Ｋ３）より低温のしきい値（Ｋ３Ａ＝Ｋ３−ΔＫ３）を下回った場合には、凝縮器（４）又は蒸発器（５）の液相冷媒が吸収器（１）内の吸収溶液又は希溶液ライン（Ｌａ）を流れる希溶液と混合するのを停止し、そして液媒ポンプ（Ｐｇ）を作動して蒸発器（５）の液相冷媒を冷水ライン（Ｌｉ）に散布した後に、冷水の蒸発器出口温度の設定温度を通常状態（第２の温度計測装置Ｓｔ２で計測された温度Ｔ２が第３のしきい値Ｋ３以下の状態）における冷水の蒸発器出口温度の設定温度に復帰させるのが好ましい。
【００２３】
そして、上述した空調システムの制御方法は、吸収冷凍機（２０）の吸収器（１）と再生器（２）を連通する希溶液ライン（Ｌａ）の吸収溶液用ポンプ吐出口側の領域から分岐（Ｂａ）して蒸発器（５）に連通する吸収溶液ライン（Ｌｍ３）と、該吸収溶液ライン（Ｌｍ３）に介装された第２の開閉弁（Ｖ３）とを有しており、上述した制御方法は、第２の温度計測装置（Ｓｔ２）で計測された温度（Ｔ２：太陽熱集熱装置を流過した直後の熱媒の温度或いは太陽熱集熱装置の表面温度）が第３のしきい値（しきい値Ｋ３）以下となり、且つ、第１の温度計測装置（Ｓｔ１）で計測された温度（Ｔ１：冷水の蒸発器出口温度或いは蒸発器の液相冷媒温度）が第２のしきい値（しきい値Ｋ２）よりも低温な第４のしきい値（しきい値Ｋ４）以下となった場合に、前記第２の開閉弁（Ｖ３）を開放して、前記吸収溶液ライン（Ｌｍ３）を介して希溶液ライン（Ｌａ）を流れる吸収溶液（希溶液）を蒸発器（５）の液相冷媒に混合するのが好ましい。
【００２４】
係る空調システムの制御方法では、第２の温度計測装置（Ｓｔ２）で計測された温度（Ｔ２）が第４のしきい値（Ｋ４）よりも高温のしきい値（Ｋ４Ａ）を上回った場合に、前記第２の開閉弁（Ｖ３）を閉鎖し、且つ、混合用経路（Ｌｍ４及び／又はＬｍ６）に介装された開閉弁（Ｖ４及び／又はＶ６）を一定時間（Ｔｒ）開放するのが好ましい。
【発明の効果】
【００２５】
上述する構成を具備する本発明によれば、冷房負荷が小さく且つ太陽熱集熱パネル（８）で回収された太陽熱が過剰となり、太陽熱回路（３０）を循環する熱媒が昇温された場合には、熱媒が保有する熱量が吸収冷凍機（２０）の再生器（２）に向かう吸収溶液を加熱して、再生器（２、３）で大量の気相冷媒を再生して、蒸発器（４）で蒸発する液相冷媒が増加するので、冷水の蒸発器出口温度（Ｔ１）或いは蒸発器の液相冷媒温度（Ｔ１）が低下してしまう。従って、第１の温度計測装置（温度センサＳｔ１）で計測された冷水の蒸発器出口温度（Ｔ１）或いは蒸発器の液相冷媒温度（Ｔ１）が第１のしきい値（しきい値Ｋ１）以下となった場合には、太陽熱回路（３０）を循環する熱媒が昇温されたと判断することができる。
本発明によれば、第１の温度計測装置（温度センサＳｔ１）で計測された冷水の蒸発器出口温度（Ｔ１）或いは蒸発器（５）の液相冷媒温度（Ｔ１）が第１のしきい値（しきい値Ｋ１）以下となった場合に、蒸発器（５）の液相冷媒を冷水ライン（Ｌｉ）に散布する液媒ポンプ（Ｐｇ）の作動を停止しており、液媒ポンプ（Ｐｇ）の作動を停止すれば液相冷媒が冷水ライン（Ｌｉ）に散布されなくなり、液相冷媒が蒸発して冷水から気化熱を奪うことが停止されるので、冷水温度の低下が抑制される。
その結果、吸収冷凍機（２０）で熱媒から投入される熱量を消費して熱媒を冷却しても、冷房負荷に供給される冷水温度が必要以上に低下することがなくなり、空調温度が低下してしまうことはない。
【００２６】
さらに冷媒の温度が上昇して、再生器（２、３）で多量の冷媒が発生すると、多量の液相冷媒が蒸発するため、第１の温度計測装置（Ｓｔ１）で計測された温度（Ｔ１：冷水の蒸発器出口温度或いは蒸発器の液相冷媒温度）が第１のしきい値（しきい値Ｋ１）よりも低温な第２のしきい値（しきい値Ｋ２）以下となる。その様な場合に、混合用経路（Ｌｍ４、Ｌｍ５、Ｌｍ６）に介装された開閉弁（Ｖ４、Ｖ５、Ｖ６）を開放して、凝縮器（４）又は蒸発器（５）の液相冷媒を吸収器（１）内の吸収溶液又は希溶液ライン（Ｌａ）を流れる希溶液に混合することにより、液相冷媒は蒸発器（５）で冷水ライン（Ｌｉ）を流れる冷水から蒸発熱を奪うことなく、吸収器（１）内又は希溶液ライン（Ｌａ）に投入される。その結果、冷水ライン（Ｌｉ）を流れる冷水は蒸発熱を奪われず、冷水温度が過度に降温させることなく、冷房負荷に供給される。
すなわち、吸収冷凍機（２０）で熱媒を冷却しても、蒸発器（５）で蒸発する液相冷媒が減少するので、冷房負荷に供給される冷水温度が必要以上に低下せず、空調温度が下がり過ぎてしまうことがない。
【００２７】
本発明によれば、熱媒が太陽熱により過熱してしまっても、その過熱の程度に応じて、段階毎に、蒸発器（５）における液相冷媒の蒸発量を減少させて、冷房負荷に供給される冷水の温度が必要以上に降温しない様に制御している。そのため、冷房負荷と同期しない太陽熱による熱媒の加熱量に対応して、空調温度を好適な温度に保ちつつ、吸収冷凍機において過熱した熱媒を冷却することができるのである。
【００２８】
冷房負荷の増大や日射量の減少等に起因して過熱した熱媒の温度が通常レベルまで低下すれば、再生器（２、３）における冷媒蒸気の再生量も通常レベルまで減少し、吸収冷凍機（２０）の冷凍能力も通常レベルに復帰する。その結果、第１の温度計測装置（Ｓｔ１）で計測された温度（Ｔ１：冷水の蒸発器出口温度或いは蒸発器の液相冷媒温度）は、熱媒が過熱している場合には第２のしきい値（しきい値Ｋ２）以下の温度であったものが、第１のしきい値（しきい値Ｋ１）よりも高温となる。
その様な場合に、先ず、前記混合用経路（Ｌｍ４、Ｌｍ５、Ｌｍ６）に介装された開閉弁（Ｖ４、Ｖ５、Ｖ６）を閉鎖して、凝縮器（４）又は蒸発器（５）の液相冷媒が吸収器（１）内の吸収溶液又は希溶液ライン（Ｌａ）を流れる希溶液と混合するのを停止し、次に、液媒ポンプ（Ｐｇ）を作動して蒸発器（５）の液相冷媒を冷水ライン（Ｌｉ）に散布するように構成すれば（請求項２）、熱媒が過熱している状態から通常の温度まで降温した際にも、蒸発器（５）における液相冷媒蒸発量を適切に調節して、吸収冷凍機（２０）において熱媒を冷却しつつ、空調温度を好適な温度に保つことが可能となる。
【００２９】
また本発明において、第２の温度計測装置（Ｓｔ２）で計測された温度（Ｔ２：太陽熱集熱装置を流過した直後の熱媒の温度或いは太陽熱集熱装置の表面温度）が第３のしきい値（しきい値Ｋ３）よりも高温となった場合に冷水の蒸発器出口温度（Ｔ１）の設定温度を、通常状態（第２の温度計測装置Ｓｔ２で計測された温度Ｔ２が第３のしきい値Ｋ３以下の状態）における冷水の蒸発器出口温度（Ｔ１）の設定温度よりも低く設定するように構成すれば（請求項３）、太陽熱回路（３０）を循環する熱媒が過熱して、吸収冷凍機（２０）の再生器（２、３）における冷媒蒸気の再生量が増加して蒸発器（５）において蒸発する液相冷媒の蒸発量が増加して、冷水の温度が低下しても、冷水の蒸発器出口温度（Ｔ１）における設定温度が低下しているので、吸収冷凍機（２０）は停止しない。
吸収冷凍機（２０）が停止せずに作動し続けているため、吸収冷凍機（２０）における吸収溶液（希溶液）は加熱され続け、太陽熱回路を循環する熱媒は吸収冷凍機（２０）により冷却され続ける。そのため、冷媒が過熱し、沸騰することによる太陽熱回路（３０）の破損が防止される。
【００３０】
この場合において、太陽熱回路（３０）を循環する熱媒が過熱された状態ではなくなり、太陽熱集熱装置（８）を流過した直後の熱媒の温度或いは太陽熱集熱装置の表面温度（Ｔ２）が第３のしきい値（しきい値Ｋ３）以下となっても、前記混合用経路（Ｌｍ４、Ｌｍ５、Ｌｍ６）に介装された開閉弁（Ｖ４、Ｖ５、Ｖ６）を閉鎖して、凝縮器（４）又は蒸発器（５）の液相冷媒が吸収器（１）内の吸収溶液又は希溶液ライン（Ｌａ）を流れる希溶液と混合するのを停止し、そして液媒ポンプ（Ｐｇ）を作動して蒸発器（５）の液相冷媒を冷水ライン（Ｌｉ）に散布した後でなければ、冷水の蒸発器出口温度（Ｔ１）の設定温度を通常状態（第２の温度計測装置Ｓｔ２で計測された温度Ｔ２が第３のしきい値Ｋ３以下の状態）における冷水の蒸発器出口温度（Ｔ１）の設定温度に復帰させない様に構成すれば（請求項４）、熱媒が過熱している状態から通常の温度レベルまで降温した際に、蒸発器（５）における液相冷媒蒸発量を適切に調節して、吸収冷凍機（２０）において熱媒を冷却しつつ、空調温度を好適な温度に保つことが出来る。
【００３１】
さらに本発明において、太陽熱回路（３０）を循環する熱媒がさらに過熱して、第２の温度計測装置（Ｓｔ２）で計測された温度（Ｔ２：太陽熱集熱装置を流過した直後の熱媒の温度或いは太陽熱集熱装置の表面温度）が第３のしきい値（しきい値Ｋ３）以下となり、且つ、第１の温度計測装置（Ｓｔ１）で計測された温度（Ｔ１（冷水の蒸発器出口温度或いは蒸発器の液相冷媒温度））が第２のしきい値（しきい値Ｋ２）よりも低温な第４のしきい値（しきい値Ｋ４）以下となった場合に、第２の開閉弁（Ｖ３）を開放して、希溶液ライン（Ｌａ）を流れる吸収溶液（希溶液）を蒸発器（５）の液相冷媒に混合するように構成すれば（請求項５）、蒸発器（５）において冷水ライン（Ｌｉ）に散布される液体は吸収溶液と液相冷媒の混合液となり、蒸発が抑制され、吸収冷凍機（２０）は冷房能力を発揮しなくなる。そのため、冷水温度が低下してしまうことはない。
この状態においても、吸収溶液と液相冷媒の混合液は蒸発器（５）と吸収器（１）との間を循環し続けるので、吸収冷凍機（２０）を運転し続けることが出来る。そのため、熱媒が保有する熱量は吸収溶液に投入され続け、熱媒は冷却され続ける。そのため、太陽熱回路（３０）を破損することなく、しかも空調温度が低下し過ぎることが無い。
【００３２】
第２の開閉弁（Ｖ３）を開放した後、第２の温度計測装置（Ｓｔ２）で計測された温度（Ｔ２）が第４のしきい値（Ｋ４）よりも高温のしきい値（Ｋ４Ａ）を上回った場合に、前記第２の開閉弁（Ｖ３）を閉鎖し、且つ、混合用経路（Ｌｍ４及び／又はＬｍ６）に介装された開閉弁（Ｖ４及び／又はＶ６）を一定時間（Ｔｒ）開放すれば（請求項６）、第２の開閉弁（Ｖ３）を閉鎖することにより吸収溶液は蒸発器（５）内に流入しなくなり、開閉弁（Ｖ４及び／又はＶ６）を一定時間（Ｔｒ）開放することにより、蒸発器（５）内の吸収溶液と液相冷媒との混合液は吸収器（１）内に送り出され（Ｖ４を開放した場合）、或いは、希溶液ライン（Ｌａ）に送り出される（Ｖ６を開放した場合）。そして、再生器（２、３）で再生された気相冷媒が蒸発器（５）に戻るので、所定時間（Ｔｒ）が経過すれば、蒸発器（５）内から吸収溶液は送出され、冷媒のみが蒸発器（５）内に存在することになる。
【発明を実施するための最良の形態】
【００３３】
以下、添付図面を参照して、本発明の実施形態について説明する。
最初に、図１〜図９を参照して、本発明の第１実施形態について説明する。
【００３４】
図１において、全体を符号１００で示す太陽熱を利用した空調システムは、吸収冷凍機２０と、太陽熱回路３０とを有している。太陽熱回路３０は、太陽熱集熱パネル８と、熱媒ラインＬｈとで構成されている。熱媒ラインＬｈは、太陽熱集熱パネル８で得られた熱量を、吸収冷凍機２０の吸収溶液ライン（希溶液ライン）Ｌａを流れる吸収溶液に投入する第３の熱交換器（太陽熱投入熱交換器）９に連通する。
ここで、図１および後述する図１０〜図１４において、流体ラインの各々に付した矢印は、流体の流れ方向を示している。
【００３５】
吸収冷凍機２０は、吸収器１、高温再生器２、低温再生器３、凝縮器４、蒸発器５および制御手段であるコントロールユニット１０を備えている。
吸収冷凍機２０における吸収溶液としては、例えば臭化リチウム（ＬｉＢｒ）溶液が用いられる。そして冷媒としては、例えば水（Ｈ２Ｏ）が用いられる。
【００３６】
吸収器１と蒸発器５とは、一体に構成された密閉容器１５０に配置されており、蒸発器５における液相冷媒貯留部（冷媒溜め）５Ｃの方が、吸収器１における吸収溶液貯留部１Ｃよりも上方に位置するように構成されている。後述する開閉弁Ｖ６を開放した際に、蒸発器５における液相冷媒貯留部５Ｃから希溶液ラインＬａに向かって液相冷媒が流れ、希溶液ラインＬａから吸収溶液が蒸発器５側に逆流することがないようにするためである。
吸収器１の吸収溶液貯留部１Ｃには、吸収溶液（臭化リチウム溶液）が貯留され、蒸発器５の液相冷媒貯留部５Ｃには液相冷媒が貯留される。ただし、後述する弁Ｖ３の開放制御を行った場合には、蒸発器５には吸収溶液と液相冷媒との混合物、すなわち希釈された吸収溶液が貯留される。係る制御については、図４及び図９において後述する。
蒸発器５における液相冷媒貯留部５Ｃの壁面は堰１５を構成しており、堰１５の高さは、蒸発器５側の冷媒（液相冷媒）の量が増加して所定量を超えた場合には、蒸発器５側の冷媒が液相冷媒貯留部５Ｃの堰１５を越えて吸収器１へ溢れ出す様に設定されている。換言すれば、係る液相冷媒貯留部５Ｃの壁面（堰１５）の高さは、空調負荷が小さく、太陽熱集熱パネル８により集熱される熱量が大きい場合に、蒸発器５側の液相冷媒貯留部５Ｃに溜まった冷媒が堰１５を越えて吸収器１へ溢れ出す様に設定されている。
【００３７】
高温再生器２には、高温再生器２内の吸収溶液を加熱するためのガスバーナ１２が装備され、ガスバーナ１２には高質燃料（例えば都市ガス等）の供給ラインＬｆｇが接続されている。
都市ガス供給ラインＬｆｇには流量制御弁Ｖ１が介装され、ガスバーナ１２に供給する高質燃料の供給・供給停止の制御や、高質燃料供給量の制御が可能なように構成されている。
【００３８】
吸収器１と高温再生器２とは、吸収溶液ポンプＰａを介装した希溶液ラインＬａで接続され、吸収溶液ポンプＰａによって吸収器１から高温再生器２に希溶液が圧送される。
高温再生器２と低温再生器３とは、第１の吸収溶液戻りラインＬｂで接続され、高温再生器２で蒸気を再生して濃度の高まった吸収溶液が低温再生器３に送られる。
【００３９】
低温再生器３と吸収器１とは、第２の吸収溶液戻りラインＬｃで接続され、低温再生器３で蒸気を再生して濃度の高まった吸収溶液が吸収器１に戻される。
また、高温再生器２は、冷媒ラインＬｄにより凝縮器４と接続され、冷媒ラインＬｄは低温再生器３の液相部３２を経由して凝縮器に連通している。高温再生器２で再生された蒸気（気相冷媒）は、低温再生器３内の吸収溶液に熱を投与し、液相冷媒になって凝縮器４に流入する。
【００４０】
低温再生器３と凝縮器４とは気相冷媒ラインＬｅで接続され、低温再生器３で再生した蒸気（気相冷媒）は凝縮器４に流入する。凝縮器４と蒸発器５とは液相冷媒ラインＬｆで接続され、凝縮器４で凝縮した液相冷媒は蒸発器５に流入する。
吸収器１と凝縮器４には冷却水ラインＬｗが通っており、冷却水ラインＬｗには、図示しない冷却塔と、吸収器１と、凝縮器４と、冷却水ポンプＰｗが介装されている。そして、冷却水ラインＬｗは、吸収器１内で吸収熱を奪い、凝縮器４内で凝縮熱を奪う様に構成されている。
【００４１】
蒸発器５の底部に貯留した液相冷媒は、液媒ポンプ（冷媒ポンプ）Ｐｇを介装した冷媒汲み上げラインＬｇによって、蒸発器５内の散布管５１に接続されている。冷媒ポンプＰｇは、制御信号ラインＳｏによってコントロールユニット１０と接続している。
蒸発器５には、図示しない冷房負荷と蒸発器５を循環する冷水ラインＬｉが配置されている。蒸発器５の散布管５１から散布された液相冷媒が冷水ラインＬｉに接触して気化した際に、冷水ラインＬｉ内を流れる冷水から気化熱（潜熱）を奪うことにより、冷水ラインＬｉ内を流れる冷水は冷却される。
冷水ラインＬｉには冷水ポンプＰｉが介装されており、矢印方向に冷水を循環させている。
【００４２】
希溶液ラインＬａにおける吸収溶液ポンプＰａ吐出側の分岐点Ｂａと、蒸発器５とは、吸収溶液ラインＬｍ３（混合用経路）によって接続されている。吸収溶液ラインＬｍ３には、開閉弁Ｖ３が介装されており、その開閉弁Ｖ３は、制御信号ラインＳｏを介して、コントロールユニット１０と接続されている。
開放弁Ｖ３を開放すると、吸収溶液ポンプＰａから吐出された吸収溶液（希溶液）は、分岐点Ｂａと吸収溶液ラインＬｍ３を介して、蒸発器５内に流入する。吸収溶液（希溶液）が吸収溶液ラインＬｍ３を介して蒸発器５内に流入すれば、吸収溶液と液相冷媒との混合液体（希釈された吸収溶液）は蒸発器５では蒸発が抑制され、以って冷媒能力は抑制され、冷水の凍結が防止される。
【００４３】
開放弁Ｖ３を開放して、吸収溶液を蒸発器５の液相冷媒に混合しても、吸収液と液相冷媒の混合液体（希釈された吸収溶液）は蒸発器５と吸収器１との間を循環し続け、吸収冷凍機２０は停止しない。
そして、図９を参照して後述する制御を行なえば、蒸発器５に流入した吸収溶液は吸収器１及び／又は希溶液ラインＬａに送出され、蒸発器５内を冷媒のみが存在する状態に戻すことが出来る。
なお、開閉弁Ｖ３の開閉制御に関しては図４及び図９で詳述する。
【００４４】
冷媒汲み上げラインＬｇに介装された冷媒ポンプＰｇと散布管５１との間の領域における分岐点Ｂｇと、吸収器１とは、混合用経路である液相冷媒ラインＬｍ４で接続されている。液相冷媒ラインＬｍ４には、開閉弁Ｖ４が介装されており、開閉弁Ｖ４は制御信号ラインＬｏによってコントロールユニット１０と接続されている。
開放弁Ｖ４を開放すると、蒸発器５の液相冷媒貯留部５Ｃに貯留している冷媒（液相冷媒）が、分岐点Ｂｇ、液相冷媒ラインＬｍ４を介して、吸収器１に流入する。蒸発器５の液相冷媒が吸収器１に流入すれば、冷水ラインＬｉから気化熱を奪って蒸発する液相冷媒が減少し、冷房能力が抑制され、以って冷水の凍結が防止される。
なお、開閉弁Ｖ４の開閉制御に関しては、図５、図９で後述する。
【００４５】
凝縮器４と吸収器１とは、混合用経路である液相冷媒ラインＬｍ５で接続されており、液相冷媒ラインＬｍ５は開閉弁Ｖ５を介装している。開閉弁Ｖ５は、制御信号ラインＳｏを介して、コントロールユニット１０と接続されている。
開放弁Ｖ５を開放すると、凝縮器４内の液相冷媒は、液相冷媒ラインＬｍ５を介して吸収器１側に流入する。凝縮器４内の液相冷媒が液相冷媒ラインＬｍ５を介して吸収器１側に流入すれば、その分だけ蒸発器５に送られる液相冷媒が減少し、蒸発器５における液相冷媒の蒸発が抑えられ、冷房能力が抑制されて、冷水の凍結も抑制される。
開閉弁Ｖ５の開閉制御に関しては、図６、図９で後述する。
【００４６】
蒸発器５の液相冷媒貯留部５Ｃと、希溶液ラインＬａにおける吸収溶液ポンプＰａ吸込側の合流点Ｇａとは、混合用経路である液相冷媒ラインＬｍ６で接続され、液相冷媒ラインＬｍ６には開閉弁Ｖ６が介装されている。開閉弁Ｖ６は、制御信号ラインＳｏを介してコントロールユニット１０と接続されている。
開放弁Ｖ６を開放すると、蒸発器５の液相冷媒貯留部５Ｃに貯留している液相冷媒が、液相冷媒ラインＬｍ６及び合流点Ｇａを介して、希溶液ラインＬａに流入する。上述したように、蒸発器５の液相冷媒貯留部５Ｃは、吸収器１の吸収溶液貯留部１Ｃよりも上方に配置されているので、開閉弁Ｖ６を開放した際に、蒸発器５における液相冷媒貯留部５Ｃから希溶液ラインＬａに向かって液相冷媒が流下し、希溶液ラインＬａから吸収溶液が蒸発器５側に逆流することはない。
蒸発器５内の冷媒が（液相冷媒ラインＬｍ６及び合流点Ｇａを介して）希溶液ラインＬａに流入すれば、その分だけ蒸発器５内の液相冷媒が減少し、蒸発して冷水ラインＬｉを流れる冷水から気化熱を奪うことが抑えられ、冷房能力が抑制されて、冷水の凍結も抑制することができる。
開閉弁Ｖ６の制御に関しては、図７、図９で後述する。
【００４７】
図１では明確には示していないが、第２の吸収溶液戻りラインＬｃを流れる濃度が高い吸収溶液は、吸収器１内を滴下して気相冷媒（水蒸気）を吸収する。
液相冷媒ラインＬｍ５を流れる液相冷媒は、吸収器１内の吸収溶液と混合して、その濃度を低下せしめる（希溶液となる）。
【００４８】
希溶液ラインＬａと第１の吸収溶液戻りラインＬｂには第１の熱交換器６が介装され、ラインＬｂを流れる高温の吸収溶液から希溶液ラインＬａを流れる希溶液に熱が投与される。また、希溶液ラインＬａと第２の吸収溶液戻りラインＬｃには第２の熱交換器７が介装され、ラインＬｃを流れる吸収溶液が保有する熱量が希溶液ラインＬａを流れる希溶液に投与される。
【００４９】
太陽熱回路３０を構成する熱媒ラインＬｈには、熱媒ポンプＰｈと、太陽熱投入用切換バルブ（三方弁）Ｖ２が介装されている。三方弁Ｖ２は、熱媒ラインＬｈにおける熱媒ポンプＰｈの吸入側の領域に配置されている。
三方弁Ｖ２と太陽熱集熱パネル８の出口側（図１における太陽熱集熱パネル８の上方）との間の領域には分岐点Ｂｈが形成され、分岐点Ｂｈと三方弁Ｖ２の一つのポートとがバイパスラインＬｈｂによって接続されている。
太陽熱回路３０のバイパスラインＬｈｂと、吸収冷凍機２０の希溶液ラインＬａにおける第１の熱交換器６と第２の熱交換器７との間の領域には、第３の熱交換器（太陽熱投入熱交換器）９が介装されている。
【００５０】
前述したように、吸収冷凍機２０における吸収溶液としては例えば臭化リチウム（ＬｉＢｒ）溶液が用いられ、冷媒としては例えば水（Ｈ２Ｏ）が用いられる。しかし、吸収溶液及び冷媒は、ＬｉＢｒ水溶液及び水に限定されるものではなく、その他の吸収溶液や冷媒を使用することも可能である。
同様に、太陽熱回路３０を循環する熱媒についても、特に限定される訳ではなく、公知の熱媒であれば適用可能である。例えば、不凍液を混合した水を熱バイトして用いることが可能である。
【００５１】
吸収冷凍機２０には、冷房負荷に用いる冷水の温度を計測するための第１の温度計測装置（以下、第１の温度センサと言う）Ｓｔ１が装備されている。そして、第１の温度センサＳｔ１は、入力信号ラインＳｉによってコントロールユニット１０と接続されている。
ここで、第１の温度センサＳｔ１を、蒸発器５の液相冷媒槽内に設置して、蒸発器５内の液相冷媒の温度を計測するように構成しても良い。
【００５２】
太陽熱回路３０には、太陽熱集熱パネル８を流過した直後の熱媒の温度、或いは、太陽熱集熱パネル８の表面温度を計測するための第２の温度計測装置（第２の温度センサ）Ｓｔ２が装備されている。
第２のセンサＳｔ２は、太陽熱集熱パネル８の過熱を防止するための過熱防止センサとしても機能する。図２及び図８で述べるように、第２のセンサＳｔ２で太陽熱集熱パネル８の過熱を検知した場合、太陽熱回路３０を循環する熱媒が保有する熱量が多過ぎると判断して、設定冷水温度（例えば、吸収冷凍機２０の蒸発器５における冷水の出口温度であって、その温度よりも冷水温度が低下すると吸収冷凍機２０の運転を停止する温度）を下げるように設定することが出来る。
第２のセンサＳｔ２は、入力信号ラインＳｉによってコントロールユニット１０と接続されている。
【００５３】
上述した様に、例えば冷房負荷が比較的小さいが、日射が強い状態では、太陽熱集熱パネル８において熱媒の温度が昇温し過ぎてしまう。
その様な事態が生じると、熱媒が保有する熱量が投入される吸収冷凍機２０側では、吸収溶液である臭化リチウム水溶液が高温再生器２で晶析したり、或いは、蒸発器５で液相冷媒または冷水が凍結してしまうという問題が生じ、吸収冷凍機２０の運転に重大な障害を及ぼしてしまう。
【００５４】
吸収冷凍機２０における係る晶析や凍結を防止するために、冷房負荷が小さく且つ熱媒の温度が所定値以上に昇温した場合には、三方弁Ｖ２を制御して、熱媒が保有する熱量が吸収溶液の希溶液ラインＬａに投入されないようにすることも可能である。しかし、その様に制御すると、太陽熱回路３０を循環する熱媒が過熱されて、沸騰してしまう恐れがある。そして、熱媒が過熱、沸騰してしまうと、太陽熱回路３０内の圧力が急上昇して、回路３０を破壊してしまう恐れがある。また、熱媒が沸騰して気化してしまうと、太陽熱回路３０に介装された熱媒ポンプＰｈがキャビテーションにより破損してしまう。
【００５５】
吸収冷凍機２０の運転に重大な障害を及ぼすことなく、しかも熱媒が過熱、沸騰して太陽熱回路３０の機器を破損することを防止するために、熱媒が保有する過剰な熱量（太陽熱）を吸収冷凍機２０側で消費する必要がある。
そのため、図示の第１実施形態では、図２〜図９を参照して説明する制御を行なっている。
【００５６】
以下、図２〜図９を参照して、第１実施形態における各種制御について説明する。
最初に、図２で示す制御を説明する。図２で示す制御は、太陽熱回路３０の収集熱量によって、吸収冷凍機２０における冷水ラインＬｉを流れる冷水における設定冷水温度を変更する制御である。係る制御によれば、太陽熱集熱パネル８における集熱量が大きくても、太陽熱回路３０を循環する熱媒が保有する熱量を吸収冷凍機２０において、確実に消費することが出来る。
【００５７】
図２において、ステップＳ１では、第２のセンサＳｔ２により太陽熱収集パネル８の出口熱媒温度（或いは、太陽熱集熱パネル８の表面温度）Ｔ２を計測する。
そしてステップＳ２では、計測温度Ｔ２が第３のしきい値Ｋ３（例えば、９５℃程度）を超えたか否かを判断する。計測温度Ｔ２が第３のしきい値Ｋ３を超えていれば（ステップＳ２がＹＥＳ）、太陽熱収集パネル８が過熱状態、すなわち、冷房負荷に対して集熱量（太陽熱の熱量）が過大な状態であると判断する。
【００５８】
通常、吸収冷凍機２０においては、冷房負荷が小さい場合には、当該冷房負荷に対応して、冷媒蒸気の再生量が減少する。
これに対して、太陽熱集熱パネル８における集熱量が多く、太陽熱回路３０を循環する熱媒温度が上昇すると、昇温した熱媒が保有する熱量は、第３の熱交換器９を介して、吸収冷凍機２０を循環する吸収溶液（希溶液）に投入されるので、高温再生器２における冷媒再生量が増加して、必要とされる冷房負荷以上の冷凍能力を発揮してしまう。
上述したように、冷房負荷が小さく、太陽熱集熱パネル８における集熱量が多い場合に、太陽熱回路３０を流れる熱媒が第３の熱交換器９をバイパスする様に三方弁Ｖ２を切り換え、吸収冷凍機２０における冷媒再生量の増加と冷凍能力の増大とを防止すると、太陽熱回路３０における機器の破損の恐れがある。
【００５９】
そこで、図２で示す制御では、計測温度Ｔ２が第３のしきい値Ｋ３を超えている場合（ステップＳ２がＹＥＳ）、すなわち、冷房負荷が小さく、太陽熱集熱パネル８における集熱量が多いと判断される場合には、設定冷水温度を通常より降温して（低下して）吸収冷凍機２０を運転する（ステップＳ３）。
この場合、「設定冷水温度」とは、吸収冷凍機２０の冷水ラインＬｉを流れる冷水の温度、例えば蒸発器５の出口における冷水温度Ｔ１（第１の温度センサＳｔ１で計測される冷水温度）がそれ以下に降温した場合には、吸収冷凍機２０の運転を停止する、という温度を意味している。
太陽熱回路３０を流れる熱媒温度が上昇し、第３の熱交換器９を介して吸収冷凍機２０を循環する希溶液に大量の熱量が投入されて、冷媒蒸気の再生量が増大しても、設定冷水温度を通常より降温すれば、吸収冷凍機２０は停止されずに運転を続行する。そして、吸収冷凍機２０が運転し続ければ、昇温した熱媒は第３の熱交換器９で冷却されるので、太陽熱回路３０内の機器が破損することも防止される。
【００６０】
ステップＳ２において、計測温度Ｔ２（太陽熱収集パネル８の出口熱媒温度、或いは、太陽熱集熱パネル８の表面温度）が第３のしきい値Ｋ３以下であれば（ステップＳ２がＮＯ）、冷媒負荷に対して集熱量（太陽熱量）は過大ではないと判断して、設定冷水温度を通常通りにして運転する（ステップＳ４）。
ステップＳ３或いはステップＳ４を実行した後、ステップＳ１以降を繰り返す。
【００６１】
次に、図３の制御を説明する。
図３で示す制御は、第１のセンサＳｔ１で温度Ｔ１、すなわち冷水出口温度（蒸発器５を出た直後における冷水ラインＬｉ内の冷水温度）、或いは、蒸発器５における液相冷媒温度を計測し、計測温度Ｔ１が所定値（第１のしきい値）Ｋ１以下となった場合に、吸収冷凍機２０の冷房能力が冷房負荷に対して過剰になったと判断して、冷媒ポンプＰｇを停止する制御である。
【００６２】
図３において、ステップＳ１１では、第１の温度センサＳｔ１で、冷水出口温度（或いは蒸発器５内の液相冷媒温度）Ｔ１を計測する。
次のステップＳ１２では、コントロールユニット１０は、計測された温度Ｔ１が所定値、すなわち第１のしきい値Ｋ１（例えば、６℃）以下であるか否かを判断する。
計測温度Ｔ１が第１のしきい値Ｋ１以下であれば（ステップＳ１２がＹＥＳ）、冷房負荷に対して吸収冷凍機２０の冷凍能力が大き過ぎると判断して、冷媒ポンプＰｇを停止させる（ステップＳ１３）。
【００６３】
冷媒ポンプＰｇを停止することにより、蒸発器５で貯留した液相冷媒が冷水ラインＬｉに散布されなくなるので、液相冷媒は冷水ラインＬｉ内の冷水から気化熱を奪って蒸発することが出来ない。そして、蒸発器５内に貯留した液相冷媒が蒸発しなくなれば、太陽熱回路３０内を循環する熱媒が昇温して、第３の熱交換器９を介して大量の熱が吸収冷凍機２０を循環する吸収溶液（希溶液）に投入されて冷媒再生量が増加しても、吸収冷凍機２０の冷房能力は増加しない。
ここで、蒸発器５内で液相冷媒が蒸発しなければ、気相冷媒が吸収器１側に戻らないので、吸収器１側の吸収溶液（臭化リチウム液）が濃縮したまま高温再生器２に送られてしまい、晶析する恐れがある。しかし、液相冷媒が蒸発器５内で一定以上貯留されると、液相冷媒貯留部５Ｃの側壁（堰１５）を越えて吸収器１側に溢れ出て、吸収器１内の吸収溶液貯留部１Ｃで吸収溶液と混合される。その結果、吸収器１内における吸収溶液の濃度は低下し、高温再生器２における晶析の恐れも無くなる。
【００６４】
一方、計測温度Ｔ１が第１のしきい値Ｋ１を越えていれば（ステップＳ１２がＮＯ）、冷房負荷に対する吸収冷凍機２０の冷凍能力は適正であると判断して、冷媒ポンプＰｇを作動する（ステップＳ１４）。
ステップＳ１３或いはステップＳ１４を実行した後、再びステップＳ１１以降を繰り返す。
【００６５】
次に、図４の制御を説明する。
図４で示す制御では、第２の温度センサ（過熱防止センサ）Ｓｔ２により太陽熱回路３０の過熱状態を検知し、且つ、第１の温度センサＳｔ１により温度Ｔ１（冷水出口温度、或いは蒸発器５内の液相冷媒温度）を計測し、Ｓｔ１で計測された温度とＳｔ２で計測された温度により、吸収溶液ラインＬｍ３に介装した開閉弁Ｖ３を開閉制御している。
【００６６】
図４において、ステップＳ２１では、第２の温度センサＳｔ２により、太陽熱集熱パネル８の出口温度（或いは、パネル８の表面温度）Ｔ２を計測する。そして、計測された温度Ｔ２が、第３のしきい値Ｋ３よりも高温であるか否かを判断する（ステップＳ２２）。
計測温度Ｔ２が第３のしきい値Ｋ３よりも高温であれば（ステップＳ２２がＹＥＳ）ステップＳ２３に進み、計測温度Ｔ２が第３のしきい値Ｋ３以下であれば（ステップＳ２２がＮＯ）ステップＳ２６に進む。
【００６７】
ステップＳ２３（計測温度Ｔ２が第３のしきい値Ｋ３を超えている場合：ステップＳ２２がＹＥＳ）では、第１のセンサＳｔ１で温度Ｔ１（冷水出口温度、或いは蒸発器５の液相冷媒温度）を計測する。そして、計測された温度Ｔ１が第４のしきい値Ｋ４（例えば、５℃）以下か否かを判断する（ステップＳ２４）。
計測温度Ｔ１が第４のしきい値Ｋ４以下であれば（ステップＳ２４がＹＥＳ）ステップＳ２５に進み、しきい値Ｋ４よりも高温であれば（ステップＳ２４がＮＯ）ステップＳ２６に進む。
【００６８】
ステップＳ２５（計測温度Ｔ１が第４のしきい値Ｋ４以下：ステップＳ２４がＹＥＳ）では開閉弁Ｖ３を開放する。
ここで、第４のしきい値Ｋ４は、図２、図３、図５〜図７に示す各制御におけるしきい値Ｋ１〜Ｋ３よりも低温であり、温度Ｔ１（冷水出口温度、或いは蒸発器５の液相冷媒温度）が第４のしきい値Ｋ４以下であるということは、非常事態としての意味合いを有している。
開閉弁Ｖ３を開放すれば、吸収器１内の吸収溶液が、吸収溶液ラインＬｍ３を介して蒸発器５液相冷媒に混合する。吸収溶液と液相冷媒とが混合した混合溶液（希釈された吸収溶液）は液相冷媒に比較して沸点が上昇するので、冷水ラインＬｉ内の冷水の温度では気化しない。そのため、蒸発器５において冷水ラインＬｉ内の冷水から気化熱は奪われず、その結果として吸収冷凍機２０における冷房能力は抑制される。
【００６９】
図４の制御を行ない、蒸発器５で吸収溶液と液相冷媒とが混合した後であっても、吸収冷凍機２０をそのまま運転することができる。蒸発器５内では、吸収溶液と液相冷媒とが混合した混合溶液（希釈された吸収溶液）は蒸発しないが、運転を継続すると当該混合溶液が増加して、液相冷媒貯留部５Ｃの側壁（堰１）を越えて吸収器１側に溢れ出る。そのため、吸収溶液は吸収器１、高温再生器２、低温再生器３間を循環し、高温再生器２と低温再生器３とで冷媒蒸気の再生が続行される。
換言すれば、開閉弁Ｖ３を開閉すれば、吸収冷凍機２０は停止することなく、冷媒蒸気の再生を続行するが、蒸発器５における液相冷媒の蒸発量は抑制される。そのため、第３の熱交換器９を介して、太陽熱回路３０を流れる熱媒が保有する熱量を吸収冷凍機２０に投入しても、冷房負荷が冷房されすぎてしまうことは無い。
ステップＳ２６（ステップＳ２２がＮＯ、或いは、ステップＳ２４がＮＯの場合）では開閉弁Ｖ３を閉鎖する。ステップＳ２５或いはステップＳ２６の後、ステップＳ２１以降を繰り返す。
ステップＳ２５で開閉弁Ｖ３を開放した後、図９で後述する制御を行なえば、蒸発器５内の吸収溶液を吸収器１及び／又は希溶液ラインＬａに送り出して、蒸発器５内を冷媒のみの状態に復帰させることが出来る。
【００７０】
次に、図５で示す制御を説明する。
この制御は、第１のセンサＳｔ１によって冷水出口温度或いは蒸発器５の液相冷媒温度Ｔ１が第２のしきい値Ｋ２以下に下がったか否かを検知した場合の制御であり、液相冷媒ラインＬｍ４に介装した開閉弁Ｖ４の開閉制御である。
【００７１】
図５では図示されていないが、図５の制御は、第２の温度センサＳｔ２によって太陽熱回路３０の過熱を検知したことが前提となる。第２の温度センサＳｔ２によって太陽熱回路３０の過熱を検知した後、ステップＳ３１で、第１のセンサＳｔ１により、冷水出口温度或いは蒸発器５の液相冷媒温度Ｔ１を計測する。そして、計測した温度Ｔ１が第２のしきい値Ｋ２（例えば、５．５℃）以下か否かを判断する（ステップＳ３２）。
ここで、第２のしきい値Ｋ２（例えば、５．５℃）は、図４で説明した第４のしきい値Ｋ４（例えば、５℃）よりも高温に設定されている。
計測した温度Ｔ１が第２のしきい値Ｋ２以下であれば（ステップＳ３２がＹＥＳ）ステップＳ３３に進み、第２のしきい値Ｋ２よりも高温であれば（ステップＳ３２がＮＯ）ステップＳ３４に進む。
【００７２】
ステップＳ３３（計測した温度Ｔ１が第２のしきい値Ｋ２以下：ステップＳ３２がＹＥＳ）では開閉弁Ｖ４を開放する。
開閉弁Ｖ４を開放し、液媒ポンプＰｇの吐出側と吸収器１とを液相冷媒ラインＬｍ４で連通（バイパス）させることにより、液相冷媒は散布管５１には送られず、吸収器１内で吸収溶液と混合する。液相冷媒ラインＬｍ４を経由して吸収器１に送られた液相冷媒は、冷水ラインＬｉを流れる冷水から蒸発熱を奪うことが無いので、当該液相冷媒の分だけ、吸収冷凍機２０は冷房能力を発揮しない。そのため、第３の熱交換器９を介して太陽熱回路３０を流れる熱媒が保有する熱量が吸収冷凍機２０を循環する吸収溶液（希溶液）に投入されても、吸収冷凍機２０により冷房負荷側を過剰に冷却してしまうことが防止される。
ステップＳ３４（計測した温度Ｔ１が第２のしきい値Ｋ２よりも高温：ステップＳ３２がＮＯ）では、開閉弁Ｖ４を閉鎖する。
ステップＳ３３或いはステップＳ３４を実行した後、再びステップＳ３１以降を繰り返す。
【００７３】
次に、図６で示す制御について説明する。
図６の制御では、第１の温度センサＳｔ１によって、温度Ｔ１（冷水出口温度或いは蒸発器５の液相冷媒温度）と第２のしきい値Ｋ２とを比較して、液相冷媒ラインＬｍ５に介装した開閉弁Ｖ５を開閉制御している。
【００７４】
図６で示す制御も、第２のセンサＳｔ２によって、太陽熱回路３０の過熱を検知した後に行なわれる。第２のセンサＳｔ２によって、太陽熱回路３０の過熱を検知したならば、図６のステップＳ４１において、第１のセンサＳｔ１により、温度Ｔ１（冷水出口温度、或いは、蒸発器５の液相冷媒温度）を計測する。そして、計測した温度Ｔ１が第２のしきい値Ｋ２（５．５℃）以下か否かを判断する（ステップＳ４２）。
計測した温度Ｔ１が第２のしきい値Ｋ２以下であれば（ステップＳ４２がＹＥＳ）ステップＳ４３に進み、第２のしきい値Ｋ２よりも高温であれば（ステップＳ４２がＮＯ）ステップＳ４４に進む。
【００７５】
ステップＳ４３（計測した温度Ｔ１が第２のしきい値Ｋ２以下：ステップＳ４２がＹＥＳ）では、開閉弁Ｖ５を開放する。
開閉弁Ｖ５を開放すると、凝縮器４の液相冷媒は、液相冷媒ラインＬｍ５を介して吸収器１に流入する。換言すれば、液相冷媒ラインＬｍ５を介して吸収器１に流入した液相冷媒は、蒸発器５において冷水ラインＬｉを流れる冷水から気化熱を奪って蒸発することが無いので、当該液相冷媒の分だけ、吸収冷凍機２０は冷房能力を発揮することなく運転される。
そのため、太陽熱回路３０内を流れる熱媒が昇温して、その保有する熱量が吸収冷凍機２０に投入されても、吸収冷凍機２０は冷房負荷を過剰に冷却してしまうことが無い。
ステップＳ４４（計測した温度Ｔ１が第２のしきい値Ｋ２よりも高温：ステップＳ４２がＮＯ）では開閉弁Ｖ５を閉鎖する。
ステップＳ４３或いはステップＳ４４を実行した後、ステップＳ４１以降を繰り返す。
【００７６】
次に、図７の制御を説明する。
図７で示す制御は、第１のセンサＳｔ１によって温度Ｔ１（冷水出口温度、或いは蒸発器５の液相冷媒温度）を計測し、計測された温度Ｔ１と第２のしきい値Ｋ２とを比較して、液相冷媒ラインＬｍ６に介装した開閉弁Ｖ６の開閉制御している。
【００７７】
図７で示す制御も、第２のセンサＳｔ２によって、太陽熱回路３０の過熱を検知した後に行なわれる。第２のセンサＳｔ２によって、太陽熱回路３０の過熱を検知したならば、図７のステップＳ５１において、第１のセンサＳｔ１により温度Ｔ１（冷水出口温度、或いは蒸発器５の液相冷媒温度）を計測する。そして、計測した温度Ｔ１が第２のしきい値Ｋ２（５．５℃）以下か否かを判断する（ステップＳ５２）。
計測した温度Ｔ１が第２のしきい値Ｋ２以下であれば（ステップＳ５２がＹＥＳ）ステップＳ５３に進み、第２のしきい値Ｋ２よりも高温であれば（ステップＳ５２がＮＯ）ステップＳ５４に進む。
【００７８】
ステップＳ５３（計測した温度Ｔ１が第２のしきい値Ｋ２以下：ステップＳ５２がＹＥＳ）では、開閉弁Ｖ６を開放する。
開閉弁Ｖ６を開放すると、蒸発器５の液相冷媒は、液相冷媒ラインＬｍ６を介して、吸収器１と高温再生器２とを接続する希溶液ラインＬａにおける吸収溶液ポンプＰａの吸込側の領域に合流して、希溶液ラインＬａを流れる吸収溶液と合流して、混合する。液相冷媒ラインＬｍ６を介して希溶液ラインＬａと合流する液相冷媒は、蒸発器５において冷水ラインＬｉを流れる冷水から気化熱を奪って蒸発することは無く、当該液相冷媒の分だけ、吸収冷凍機２０は冷房能力を発揮することなく運転される。従って、太陽熱回路３０を流れる熱媒が昇温して、第３の熱交換器９を介して吸収冷凍機２０に熱（太陽熱）を投入しても、吸収冷凍機２０が冷房負荷を過剰に冷却してしまうことが防止される。
ステップＳ５４（計測した温度Ｔ１が第２のしきい値Ｋ２よりも高温：ステップＳ５２がＮＯ）では、開閉弁Ｖ６を閉鎖する。
ステップＳ５３或いはステップＳ５４を実行した後、再びステップＳ５１以降を繰り返す。
【００７９】
なお、図５で示す制御（Ｖ４の開放）、図６で示す制御（Ｖ５の開放）、図７で示す制御（Ｖ６の開放）は、制御としては等価であり、開放弁Ｖ４〜Ｖ６の開放は各々単独で行なっても良いが、開放弁Ｖ４〜Ｖ６を複数同時に開放することも可能である。換言すれば、図５〜図７の制御を複数組み合わせて実行しても良い。
【００８０】
次に、図８及び図９を参照して、上述した図２〜図７で示す制御の全てを実施した場合について説明する。
図８において、ステップＳ６１では、第２の温度センサＳｔ２によって温度Ｔ２（太陽熱収集パネル８の出口熱媒温度、或いは、パネル表面の温度）を計測する。そしてステップＳ６２では、計測された温度Ｔ２が第３のしきい値Ｋ３よりも高温であるか否かを判断する。計測温度Ｔ２が第３のしきい値Ｋ３よりも高温であれば（ステップＳ６２がＹＥＳ）、太陽熱収集パネル８が過熱された状態であり、冷房負荷に比較して太陽熱が過大な状態であると判断する。そして、設定冷水温度を通常時よりも降温（低下）して運転するように設定する（ステップＳ６３）。そして、ステップＳ６４に進む。
【００８１】
一方、計測温度Ｔ２が第３のしきい値Ｋ３以下であれば（ステップＳ６２がＮＯ）、ステップＳ７４１で、その制御サイクルにおいては、設定冷水温度が通常時（冷房負荷に対して、太陽熱集熱量が適正な場合）の数値となっているか否かを判断する。
当該制御サイクルにおいて、設定冷水温度が通常時の数値であれば（ステップＳ７４１がＹＥＳ）、ステップＳ６１に戻る。
すでにステップＳ６３の制御を行なっており、当該制御サイクルにおいて設定冷水温度が通常時の数値よりも低い場合には（ステップＳ７４１がＮＯ）、ステップＳ６１で計測された温度Ｔ２と、第３のしきい値Ｋ３よりも低温のしきい値Ｋ３Ａ（＝Ｋ３−ΔＫ３）とを比較する。温度Ｔ２がしきい値Ｋ３Ａ（＝Ｋ３−ΔＫ３）よりも低温であれば（ステップＳ７４２がＹＥＳ）、冷房負荷に比較して太陽熱が過大な状態ではなくなったと判定して、設定冷水温度を通常時の数値にして（ステップＳ７５）、ステップＳ６１に戻る。温度Ｔ２がしきい値Ｋ３Ａ（＝Ｋ３−ΔＫ３）以上であれば（ステップＳ７４２がＮＯ）、設定冷水温度を通常時の数値にすることなく、ステップＳ６１に戻る。
【００８２】
設定冷水温度が通常時の数値よりも低温に設定されている状態から、設定冷水温度が通常時の数値に戻すか否かを判断する（ステップＳ７４２）のに際して、ステップＳ６２と同一のしきい値Ｋ３を用いる場合には、設定冷水温度を低い数値に設定する制御と、通常時の値に戻す制御とが頻繁に繰り返されて、いわゆる「ハンチング状態」になってしまう恐れがある。
そのためステップＳ７４２では、第３のしきい値Ｋ３よりも低温のしきい値Ｋ３Ａ（＝Ｋ３−ΔＫ３）と温度Ｔ２とを比較し、以って、ハンチング状態となってしまうことを防止している。
ここで、温度ΔＫ３は、設定冷水温度が通常時よりも低温に設定する制御と、設定冷水温度を通常時の数値に戻す制御とが、いわゆる「ハンチング状態」とならないような数値として設定されている。
ステップＳ６１〜Ｓ６３、Ｓ７４１、Ｓ７４２、Ｓ７５の制御は、図２で示す制御に対応している。従って、係る制御の作用効果は、図２を参照して説明したのと同様である。
【００８３】
ステップＳ６４では、温度センサＳｔ１により温度Ｔ１（冷水出口温度、或いは蒸発器５の液相冷媒温度）を計測する。次のステップＳ６５では、コントロールユニット１０は、計測温度Ｔ１が所定値（第１のしきい値Ｋ１：例えば６℃）以下であるか否かを判断する。計測温度Ｔ１が第１のしきい値Ｋ１以下であれば（ステップＳ６５がＹＥＳ）、冷房負荷に対して吸収冷凍機２０の冷却能力が過剰であると判断して、冷媒ポンプＰｇを停止させる（ステップＳ６６）。そして、ステップＳ６７に進む。
一方、計測温度Ｔ１が第１のしきい値Ｋ１（６℃）よりも高温であれば（ステＳ６５がＮＯ）、ステップＳ７６２において、その制御サイクルでは冷媒ポンプＰｇが作動しているか否かを判断する。
【００８４】
当該制御サイクルにおいて、冷媒ポンプＰｇが作動中であれば（ステップＳ７６１がＹＥＳ）、ステップＳ６１に戻る。
すでにステップＳ６６の制御を行なっており、当該制御サイクルにおいては冷媒ポンプＰｇが停止していれば（ステップＳ７６１がＮＯ）、ステップＳ６４で計測された温度Ｔ１と、第１のしきい値Ｋ１よりも高温のしきい値Ｋ１Ａ（＝Ｋ１＋ΔＫ１）とを比較する。温度Ｔ１がしきい値Ｋ１Ａ（＝Ｋ１＋ΔＫ１）よりも高温であれば（ステップＳ７６２がＹＥＳ）、冷房負荷に比較して太陽熱が過大な状態ではなくなったと判定して、冷媒ポンプＰｇを作動して（ステップＳ７６３）、ステップＳ６１に戻る。
温度Ｔ１がしきい値Ｋ１Ａ以下であれば（ステップＳ７６２がＮＯ）、冷媒ポンプＰｇを停止したまま、ステップＳ６１に戻る。
【００８５】
冷媒ポンプＰｇが停止した状態から、冷媒ポンプＰｇを作動するか否かを判断する（ステップＳ７４２）に際して、ステップＳ６５と同一のしきい値Ｋ１を用いる場合には、冷媒ポンプＰｇの作動と停止とが頻繁に繰り返されてしまう可能性が高い。
そのため、冷媒ポンプＰｇが停止した状態から、冷媒ポンプＰｇを作動するか否かを判断する（ステップＳ７４２）に際しては、第１のしきい値Ｋ１よりも低温のしきい値Ｋ１Ａ（＝Ｋ１−ΔＫ１）と温度Ｔ１とを比較し、以って、冷媒ポンプＰｇの作動と停止とが頻繁に繰り返されてしまうことを防止している。
ここで、温度ΔＫ１は、冷媒ポンプＰｇを停止する工程（ステップＳ６６）と冷媒ポンプＰｇを作動する工程（ステップＳ７６３）とが頻繁に繰り返されないような数値として設定されている。
ステップＳ６４〜Ｓ６６、Ｓ７６１〜Ｓ７６３で示す制御は、図３で示す制御に対応しており、その作用効果も、図３で説明したのと同様である。
【００８６】
ステップＳ６７では、ステップＳ６４と同様に、第２の温度センサＳｔ２によって温度Ｔ２（太陽熱収集パネル８の出口熱媒温度、或いは、パネル表面の温度）を計測する。次のステップＳ６８では、計測温度Ｔ１が所定値（第２のしきい値Ｋ２：例えば５．５℃）以下であるか否かを判断する。
計測温度Ｔ１が第２のしきい値Ｋ２（５．５℃）以下であれば（ステップＳ６８がＹＥＳ）、冷房負荷に対して吸収冷凍機２０の冷却能力が過剰であると判断して、開閉弁Ｖ４〜Ｖ６の何れか或いは全てを開放して（ステップＳ６９）、ステップＳ７０に進む。上述したように、Ｖ４〜Ｖ６の開放は制御としては等価であり、開放弁Ｖ４〜Ｖ６を各々単独で開放しても良いが、開放弁Ｖ４〜Ｖ６を複数同時に開放することも可能である。
【００８７】
一方、計測温度Ｔ１が第２のしきい値Ｋ２（５．５℃）よりも高温であれば（ステップＳ６８がＮＯ）、ステップＳ７７１で、その制御サイクルにおいては、開閉弁Ｖ４〜Ｖ６の何れかが開放されているか否かを判断する。
当該制御サイクルにおいて、開閉弁Ｖ４〜Ｖ６が全て閉鎖されていれば（ステップＳ７７１がＮＯ）、ステップＳ６４に戻る。
すでにステップＳ６９の制御を行なっており、当該制御サイクルにおいて開閉弁Ｖ４〜Ｖ６の何れかが開放されている場合には（ステップＳ７７１がＹＥＳ）、ステップＳ６７で計測された温度Ｔ１と、第２のしきい値Ｋ２よりも高温のしきい値Ｋ２Ａ（＝Ｋ２＋ΔＫ２）とを比較する。温度Ｔ１がしきい値Ｋ２Ａ（＝Ｋ２＋ΔＫ２）よりも高温であれば（ステップＳ７７２がＹＥＳ）、冷房負荷に比較して太陽熱が過大な状態ではなくなったと判定して、開閉弁Ｖ４〜Ｖ６を全て閉鎖して（ステップＳ７７３）、ステップＳ６４に戻る。
温度Ｔ１がしきい値Ｋ２Ａ以下ならば（ステップＳ７７２がＮＯ）、開閉弁Ｖ４〜Ｖ６を全て閉鎖することなく、ステップＳ６４に戻る。
【００８８】
開閉弁Ｖ４〜Ｖ６の何れかが開放されている状態から、開閉弁Ｖ４〜Ｖ６を全て閉鎖するか否かを判断する（ステップＳ７７２）のに際して、ステップＳ６８と同一のしきい値Ｋ２を用いる場合には、開閉弁Ｖ４〜Ｖ６の何れかを開放する制御と、開閉弁Ｖ４〜Ｖ６を全て閉鎖する制御とが頻繁に繰り返されてしまう可能性が高い。
そのためステップＳ７７２では、第２のしきい値Ｋ２よりも高温のしきい値Ｋ２Ａ（＝Ｋ２＋ΔＫ２）と温度Ｔ１とを比較し、以って、開閉弁Ｖ４〜Ｖ６の頻繁な開閉を防止している。
ここで、温度ΔＫ２は、開閉弁Ｖ４〜Ｖ６の開閉が頻繁とはならないような数値として設定されている。そして、しきい値Ｋ２Ａ（＝Ｋ２＋ΔＫ２）は第１のしきい値Ｋ１以下の温度に設定される。
ステップＳ６７〜Ｓ６９、Ｓ７７１〜Ｓ７７３の制御は、図５〜図７で説明した制御と対応しており、その作用効果も、図５〜図７で説明したのと同様である。
【００８９】
ここで、計測温度Ｔ１が第２のしきい値Ｋ２（５．５℃）よりも高温の場合（ステップＳ６８がＮＯ）には、ステップＳ７７１〜ステップＳ７７３の制御を実行してから、いきなりステップＳ６１に戻って、ステップＳ６１〜Ｓ６３、Ｓ７５の制御（図２に対応する制御）を行なうのではなく、ステップＳ６４に戻り、ステップＳ６４〜Ｓ６７、Ｓ７６１〜Ｓ７６３の制御を行なっている。
Ｓ６４〜Ｓ６７、Ｓ７６１〜Ｓ７６３の制御（図３に対応する制御）を行なう段階の方が、ステップＳ６１〜Ｓ６３、Ｓ７４１、Ｓ７４２、Ｓ７５の制御（図２に対応する制御）を行なう段階に比較して、冷房負荷に対して吸収冷凍機２０の冷却能力がより過剰な状態となっており、制御そのものが臨界或いは限界に近い状態となっている。そのため、先ず、臨界或いは限界に近い制御に（図３に対応する制御）を行ない、液媒ポンプＰｇを停止する制御（図３に対応する制御）を行なう必要がなくなった後（ステップＳ６５がＮＯになってから）、臨界或いは限界から遠い状態の制御（ステップＳ６１〜Ｓ６３、Ｓ７４１、Ｓ７４２、Ｓ７５の制御）を行なっている。
その結果、熱媒が過熱している状態から通常の温度レベルまで降温した際に、蒸発器５における液相冷媒蒸発量を適切に調節して、吸収冷凍機２０において（太陽熱回路３０を循環する）熱媒を冷却しつつ、空調温度を好適な温度に保つことが出来る。
【００９０】
ステップＳ７０では、ステップＳ６４、Ｓ６８と同様に、温度Ｔ１（冷水出口温度、或いは蒸発器５の液相冷媒温度）を計測する。そして、次のステップＳ７１で、計測温度Ｔ１が第４のしきい値Ｋ４（例えば５℃）以下であるか否かを判断する。
ここで、第４のしきい値Ｋ４は第２のしきい値Ｋ２よりも低温に設定されており、吸収冷凍機２０の運転を続行するか否かの臨界値或いは限界値である。
計測温度Ｔ１が第４のしきい値Ｋ４（５℃）以下であれば（ステップＳ７１がＹＥＳ）、冷房負荷に対して吸収冷凍機２０の冷却能力が過剰であると判断して、吸収溶液ラインＬｍ３の開閉弁Ｖ３を開放し（ステップＳ７２）、ステップＳ７３に進む。
【００９１】
ステップＳ７３では、コントロールユニット１０は、空調システム１００の運転を停止するか否かを判断する。空調システム１００の運転を停止するのであれば（ステップＳ７３がＹＥＳ）、停止・再起動ルーチンに進む。空調システム１００の運転を続行するのであれば（ステップＳ７３がＮＯ）、ステップＳ７０以下を繰り返す（ステップＳ７３がＮＯのループ）。
【００９２】
一方、計測温度Ｔ１が第４のしきい値Ｋ４（５℃）よりも高温であれば（ステップＳ７１がＮＯ）、ステップＳ７８１で、その制御サイクルにおいて開閉弁Ｖ３が開放しているか否かを判断する。
当該制御サイクルにおいて、開閉弁Ｖ３が閉鎖されていれば（ステップＳ７８１がＮＯ）、ステップＳ６７に戻る。
既にステップＳ７２の制御を行なっており、当該制御サイクルにおいて開閉弁Ｖ３が開放されている場合には（ステップＳ７８１がＹＥＳ）、ステップＳ７０で計測された温度Ｔ１と、第４のしきい値Ｋ４よりも高温のしきい値Ｋ４Ａ（＝Ｋ４＋ΔＫ４）とを比較する。温度Ｔ１がしきい値Ｋ４Ａ（＝Ｋ４＋ΔＫ４）よりも高温であれば（ステップＳ７８２がＹＥＳ）、冷房負荷に比較して太陽熱が過大で吸収冷凍機２０の運転が限界を超えた状態ではなくなったと判定して、開閉弁Ｖ３を閉鎖して（ステップＳ７８３）、ステップＳ７８４に進む。
温度Ｔ１がしきい値Ｋ４Ａ以下ならば（ステップＳ７７２がＮＯ）、開閉弁Ｖ３を閉鎖することなく、ステップＳ６７に戻る。
【００９３】
開閉弁Ｖ３が開放されている状態から、開閉弁Ｖ３を閉鎖するか否かを判断する（ステップＳ７８２）のに際して、ステップＳ７１と同一のしきい値Ｋ４を用いる場合には、開閉弁Ｖ３を開放する制御と閉鎖する制御とが頻繁に繰り返されてしまう可能性が高い。
そのためステップＳ７８２では、第４のしきい値Ｋ４よりも高温のしきい値Ｋ４Ａ（＝Ｋ４＋ΔＫ４）と温度Ｔ１とを比較し、以って、開閉弁Ｖ３の頻繁な開閉を防止している。
ここで、温度ΔＫ４は、開閉弁Ｖ３の開閉が頻繁とはならないような数値として設定されている。そして、しきい値Ｋ４Ａ（＝Ｋ４＋ΔＫ４）は第２のしきい値Ｋ２以下の温度に設定される。
【００９４】
ステップＳ７８４（温度Ｔ１がしきい値Ｋ４Ａよりも高温で、開閉弁Ｖ３を閉鎖した状態）は、開閉弁Ｖ３が開放されている（ステップＳ７８１がＹＥＳの場合）であるのが前提である。係る場合においては、開閉弁Ｖ３を経由して吸収溶液が蒸発器５内に流入し、吸収溶液と液相冷媒が既に混合しているので、開閉弁Ｖ３を閉鎖しても、蒸発器５における冷水の冷却能力は回復しない。
そのため、ステップＳ７８４〜Ｓ７８６で、蒸発器５から吸収溶液を流出して、液相冷媒のみ存在する状態に復帰させている。
【００９５】
ステップＳ７８４では開閉弁Ｖ４及び／又はＶ６を開放し、開放後の時間を計測する。
開閉弁Ｖ４を開放することにより、蒸発器５に存在する吸収溶液と液相冷媒との混合液（希溶液）は、ラインＬｍ４を介して吸収器１内に流入する。それと共に／或いは、開閉弁Ｖ６を開放することにより、蒸発器５に存在する吸収溶液と液相冷媒との混合液（希溶液）は、ラインＬｍ６を介して希溶液ラインＬａに送られる。
その後、吸収溶液と液相冷媒との混合液（希溶液）は高温再生器２、低温再生器１で冷媒蒸気を再生し、濃縮されて吸収器１に戻る。再生した冷媒蒸気は凝縮器４で凝縮して、蒸発器５に戻る。その様なサイクルを一定時間Ｔｒ繰り返せば、吸収溶液は蒸発器５から全て流出し、蒸発器５には冷媒のみが存在する状態に復帰するのである。
【００９６】
ステップＳ７８５では、当該一定時間Ｔｒ（吸収溶液が蒸発器５から全て流出するのに十分な時間）が経過したか判定し、一定時間Ｔｒが経過したならば（ステップＳ７８５がＹＥＳ）、開閉弁Ｖ４及び／又はＶ６を閉鎖して、弁Ｖ４、Ｖ６開放後の時間計測を終了する（ステップＳ７８６）。
図９では開閉弁Ｖ４及び／又はＶ６を開放した後、一定時間Ｔｒが経過した後に開閉弁Ｖ４及び／又はＶ６を閉鎖しているが（ステップＳ７８４〜Ｓ７８６）、開閉弁Ｖ４及び／又はＶ６を閉鎖するタイミングについては、その他の手法により決定することが可能である。
例えば、蒸発器５の液相冷媒貯溜部５Ｃに液面計（図示せず）を設置し、当該液面計により液相冷媒貯溜部５Ｃから液相冷媒が無くなったことを検知した後に、開閉弁Ｖ４及び／又はＶ６を閉鎖しても良い。
ステップＳ７０からステップＳ７２、ステップＳ７８１〜Ｓ７８３の制御は、図４で示す制御に対応しており、その作用効果も図４で説明したのと同様である。
【００９７】
ここで、計測温度Ｔ１が第４のしきい値Ｋ４（５℃）よりも高温の場合（ステップＳ７１がＮＯ）には、ステップＳ７８１〜Ｓ７８６の制御を行なってから、いきなりステップＳ６４に戻り、ステップＳ６４〜Ｓ６６、Ｓ７６１〜Ｓ７６３の制御（図３に対応する制御）を行なうのではなく、ステップＳ６７に戻り、ステップＳ６７〜Ｓ６９、Ｓ７７１〜Ｓ７７３の制御（図５〜図７に対応する制御）を行なっている。
ステップＳ６７〜Ｓ６９、Ｓ７７１〜Ｓ７７３の制御（図５〜図７に対応する制御）を行なう段階の方が、Ｓ６４〜Ｓ６７、Ｓ７６１〜Ｓ７６３の制御（図３に対応する制御）やステップＳ６１〜Ｓ６３、Ｓ７４１、Ｓ７４２、Ｓ７５の制御（図２に対応する制御）を行なう段階に比較して、制御そのものが臨界或いは限界に近い制御となっている。そのため、先ず、臨界或いは限界に近い制御に（ステップＳ６７〜Ｓ６９、Ｓ７７１〜Ｓ７７３の制御：図５〜図７に対応する制御）を行ない、係る制御（図５〜図７に対応する制御）をする必要がなくなった後（ステップＳ６８がＮＯになってから）、臨界或いは限界から遠い状態の制御（Ｓ６４〜Ｓ６７、Ｓ７６１〜Ｓ７６３の制御：図３に対応する制御）を行なっている。
そして、熱媒が過熱している状態から通常の温度レベルまで降温した際に、蒸発器５における液相冷媒蒸発量を適切に調節して、吸収冷凍機２０において（太陽熱回路３０を循環する）熱媒を冷却しつつ、空調温度を好適な温度に保っている。
【００９８】
図８及び図９で示す制御においては、図２で示す制御と対応する制御（ステップＳ６１〜Ｓ６３、Ｓ７５）、図３で示す制御と対応する制御（ステップＳ６４〜Ｓ６６、Ｓ７６）、図５〜図７で示す制御と対応する制御（ステップＳ６７〜Ｓ６９、Ｓ７７）、図４で示す制御と対応する制御（ステップＳ７０〜Ｓ７３、Ｓ７８）の順番に行なわれる。そして、ステップＳ６８、ステップＳ７１において、しきい値よりも高温であれば（吸収冷凍機２０の能力が冷房負荷に対して過剰ではない状態に遷移すると）、後で実行された制御を優先的に解除している。
【００９９】
次に、図１０を参照して、本発明の第２実施形態について説明する。
第１実施形態において、図５で示す制御、図６で示す制御、図７で示す制御は、制御としては等価であり、パラレルに実行可能である旨を説明した。
図１０で示す第２実施形態の空調システム１０２では、第１実施形態から、図６で示す制御を行なうための構成と、図７で示す制御を行なうための構成を削除して、図５で示す制御を行なうための構成のみを残存させている。
ここで、図５で示す制御を行うための構成とは、冷媒ポンプＰｇの吐出側から分岐（Ｂｇ）して吸収器１の底部に連通する液相冷媒ラインＬｍ４と、ラインＬｍ４に介装された開閉弁Ｖ４である。
【０１００】
図１０の第２実施形態における制御については、図６、図７の制御を行なわない点と、図９において開閉弁Ｖ５、Ｖ６については開閉制御を行なわない点が、第１実施形態の制御とは異なっている。
図１０の第２実施形態におけるその他の構成及び作用効果については、図１〜図９の第１実施形態と同様である。
【０１０１】
次に、図１１を参照して、本発明の第３実施形態について説明する。
図１１で示す第３実施形態では、図５で示す制御、図７で示す制御は行なわずに、図６で示す制御を実行するように構成されている。そして、図１１で示す第３実施形態の空調システム１０３では、図１で示す空調システム１００から、図５で示す制御を行なうための構成と、図７で示す制御を行なうための構成を削除して、図６で示す制御を行なうための構成のみを残存させている。
ここで、図６で示す制御を行うための構成とは、凝縮器４から吸収器１に連通する液相冷媒ラインＬｍ５と、ラインＬｍ５に介装された開閉弁Ｖ５である。
【０１０２】
図１１の第３実施形態における制御は、図５の制御と図７の制御を行なわない点と、図９において開閉弁Ｖ４、Ｖ６の開閉制御は行なわない点では、図２〜図９の第１実施形態における制御とは異なっている。
図１１の第３実施形態におけるその他の構成及び作用効果については、図１〜図９の第１実施形態と同様である。
【０１０３】
次に、図１２を参照して、本発明の第４実施形態について説明する。
図１２で示す第４実施形態では、図５で示す制御、図６で示す制御は行わず、図７で示す制御を実行するように構成されている。そして、図１２で示す第４実施形態に係る空調システム１０４では、第１実施形態に係る空調システム１００から、図５で示す制御を行なうための構成と、図６で示す制御を行なうための構成を削除して、図７で示す制御を行なうための構成のみを残存させている。ここで、図７で示す制御を行うための構成とは、蒸発器５から吸収器１に連通する液相冷媒ラインＬｍ６と、ラインＬｍ６に介装された開閉弁Ｖ６である。
【０１０４】
図１２の第４実施形態における制御は、図５で示す制御と図６で示す制御を行なわない点と、図９において開閉弁Ｖ４、Ｖ５の開閉制御を行なわない点が、図１〜図８の第１実施形態における制御と相違している。
図１２の第４実施形態におけるその他の構成及び作用効果については、図１〜図９の第１実施形態と同様である。
【０１０５】
図１〜図１２の第１実施形態〜第４実施形態では、太陽熱回路３０が吸収冷凍機２０と熱的に連通する態様として、吸収冷凍機２０の希溶液ラインＬａに太陽熱投入熱交換器９を介装して、太陽熱投入熱交換器９で太陽熱回路３０を流れる熱媒体と吸収冷凍機２０を循環する吸収溶液（希溶液）とで熱交換を行なっている。
しかし、太陽熱回路３０が吸収冷凍機２０と熱的に連通する態様としては、太陽熱熱交換器９によるものに限定されない。
【０１０６】
例えば、図１３の第５実施形態で示すように、太陽熱再生器ＷＥ９を設け、太陽熱回路３０を流れる熱媒体が保有する熱量により、太陽熱再生器ＷＥ９内の吸収溶液を加熱して、冷媒蒸気（気相冷媒）を再生しても良い。図１３では、太陽熱再生器ＷＥ９は、吸収冷凍機２０において、希溶液ラインＬａの低温溶液熱交換器７と高温溶液熱交換器６との間の領域における分岐点ＷＢから分岐した希溶液ラインＬａｂに連通している。
太陽熱再生器ＷＥ９で再生した気相冷媒は、冷媒ラインＬＷを経由して凝縮器４に流入する。また、太陽熱再生器ＷＥ９で気相冷媒を再生した後の吸収溶液（濃溶液）は、濃溶液ラインＬｃｂを流れ、低温再生器３と低温溶液熱交換器７との間の領域における合流点ＷＧで濃溶液ラインＬｃと合流する。
なお、太陽熱再生器ＷＥ９を介装する位置については、吸収冷凍機２０における溶液サイクル（例えばシリーズフロー、パラレルフロー、リバースフロー）や太陽熱回路３０側の熱媒温度等諸条件等により、適宜、設定されるべきであり、図１３で示す位置には限定されない。
図１３の第５実施形態におけるその他の構成及び作用効果については、図１〜図１２の各実施形態と同様である。
【０１０７】
また、図１４の第６実施形態で示すように、太陽熱投入熱交換器９と太陽熱再生器ＷＥ９とを設けることも出来る。図１４では、太陽熱投入熱交換器９は、吸収冷凍機２０の希溶液ラインＬａの低温溶液熱交換器７と高温溶液熱交換器６との間の領域に介装されている。そして太陽熱再生器ＷＥ９は希溶液ラインＬａｂに連通しており、希溶液ラインＬａｂは、太陽熱投入熱交換器９と高温溶液熱交換器６との間の領域における分岐点ＷＢで、希溶液ラインＬａから分岐している。そして太陽熱回路３０の熱媒ラインＬｈにおける分岐点Ｂｈから分岐しているバイパスラインＬｈｂは、太陽熱再生器ＷＥ９を経由して、太陽熱投入熱交換器９を経由してから、熱媒ラインＬｈと合流している。
ここで、太陽熱投入熱交換器９と太陽熱再生器ＷＥ９の位置は、図１４で示す構成に限定されるものではなく、吸収冷凍機２０における溶液サイクル（例えばシリーズフロー、パラレルフロー、リバースフロー）や太陽熱回路３０側の熱媒温度等諸条件等により、適宜、設定される。
図１４の第６実施形態におけるその他の構成及び作用効果については、図１〜図１３の各実施形態と同様である。
【０１０８】
図示の実施形態はあくまでも例示であり、本発明の技術的範囲を限定する趣旨の記述ではない旨を付記する。
例えば、図示の実施形態では、吸収冷凍機２０はいわゆる「シリーズフロー」タイプに形成されているが、それ以外のタイプ（いわゆる「パラレルフロー」タイプ、「リバースフロー」タイプ、その他）であっても良い。
太陽熱回路３０が吸収冷凍機２０と熱的に連通する態様についても、太陽熱熱交換器９や、太陽熱再生器ＷＥ９に限定される訳ではない。
【図面の簡単な説明】
【０１０９】
【図１】本発明の第１実施形態のブロック図。
【図２】第１実施形態で行なわれる制御の１例を示すフローチャート。
【図３】第１実施形態で行なわれる図２とは異なる制御を示すフローチャート。
【図４】第１実施形態で行なわれる図２、図３とは異なる制御を示すフローチャート。
【図５】第１実施形態で行なわれる図２〜図４とは異なる制御を示すフローチャート。
【図６】図５で示す制御と等価な制御であって、図５の制御と選択的に或いは同時に行なわれる制御を示すフローチャート。
【図７】図５、図６で示す制御と等価な制御であって、図５、図６の制御と選択的に或いは同時に行なわれる制御を示すフローチャート。
【図８】図２〜図７で示す制御を全て実行する制御の一部を示すフローチャート。
【図９】図８の制御の他の部分を示すフローチャート。
【図１０】本発明の第２実施形態のブロック図。
【図１１】本発明の第３実施形態のブロック図。
【図１２】本発明の第４実施形態のブロック図。
【図１３】本発明の第５実施形態のブロック図。
【図１４】本発明の第６実施形態のブロック図。
【符号の説明】
【０１１０】
１・・・吸収器
２・・・高温再生器
３・・・低温再生器
４・・・凝縮器
５・・・蒸発器
６・・・第１の熱交換器
７・・・第２の熱交換器
８・・・太陽熱集熱パネル
９・・・第３の熱交換器／太陽熱投入熱交換器
１０・・・制御手段／コントロールユニット
１２・・・ガスバーナ
１５・・・堰
２０・・・吸収冷凍機
３０・・・太陽熱回路
５１・・・散布管
１００・・・空調システム
Ｋ１・・・第１のしきい値
Ｋ２・・・第２のしきい値
Ｋ３・・・第３のしきい値
Ｋ４・・・第４のしきい値
Ｌａ・・・吸収溶液ライン／希溶液ライン
Ｌｂ・・・吸収溶液の第１の戻りライン
Ｌｃ・・・吸収溶液の第２の戻りライン
Ｌｄ、Ｌｅ・・・気相冷媒ライン
Ｌｆ・・・液相冷媒ライン
Ｌｇ・・・冷媒汲み上げライン
Ｌｈ・・・熱媒ライン
Ｌｉ・・・冷水ライン
Ｌｍ３・・・吸収溶液ライン
Ｌｍ４、Ｌｍ５、Ｌｍ６・・・混合用経路／液相冷媒ライン
Ｌｗ・・・冷却水ライン
Ｐａ・・・吸収溶液ポンプ
Ｐｇ・・・液媒ポンプ／冷媒ポンプ
Ｐｗ・・・冷却水ポンプ
Ｓｔ１・・・第１の温度計測装置／第１の温度センサ
Ｓｔ２・・・第２の温度計測装置/第２の温度センサ（過熱防止センサ）
【図１】
2010007907.tif 000003
【図２】
2010007907.tif 000004
【図３】
2010007907.tif 000005
【図４】
2010007907.tif 000006
【図５】
2010007907.tif 000007
【図６】
2010007907.tif 000008
【図７】
2010007907.tif 000009
【図８】
2010007907.tif 000010
【図９】
2010007907.tif 000011
【図１０】
2010007907.tif 000012
【図１１】
2010007907.tif 000013
【図１２】
2010007907.tif 000014
【図１３】
2010007907.tif 000015
【図１４】
2010007907.tif 000016